(57)【要約】【課題】  モジュール方式の、タイル状に配置された大画面の放射ディスプレイの応用例、たとえばＯＬＥＤディスプレイの応用例を制御する方法を提供する。【解決手段】  制御方法は、たとえば、放射装置を制御するための第１の制御レベル（２１４）と、放射ディスプレイモジュールを制御するための第２の制御レベル（２１２）と、放射ディスプレイタイル（２１０）を制御するための第３の制御レベルとを含む。制御レベルの数は２レベルよりも大きいかまたはそれに制限され得る。この発明に従った制御方法により、類似の制御および較正アルゴリズムをすべてのレベルで実行させることが可能となり、帯域幅の要件を減らして処理の複雑性を減じるために分散処理が可能となる。さらに、この発明の制御方法は、モジュール方式の、タイル状に配置された大画面の放射ディスプレイを作動させる方法とこれを監視する方法とを含む。【選択図】        図３
2005182056.tif 000002
【特許請求の範囲】
【請求項１】
タイル状に配置された大画面の放射ディスプレイ（１００）を制御するための方法であって、前記放射ディスプレイ（１００）は少なくとも複数の第１の細分区域を含み、前記第１の細分区域の各々は複数の放射装置を含み、前記方法は、
前記第１の細分区域の各々について、前記第１の細分区域の各々が当該第１の細分区域のための第１の細分区域目標値に対して最適化されるように前記放射装置を設定するステップと、
前記放射装置が設定された後に、
前記放射ディスプレイ（１００）について、前記放射ディスプレイが前記放射ディスプレイ（１００）のための放射ディスプレイ目標値に対して最適化されるように前記第１の細分区域を設定するステップとを含む、方法。
【請求項２】
前記複数の第１の細分区域は複数の第２の細分区域にグループ化され、前記第１の細分区域を設定する前記ステップは以下のステップを行うことによって実行され、前記以下のステップは、
前記第２の細分区域の各々について、前記第２の細分区域の各々が当該第２の細分区域のための第２の細分区域目標値に対して最適化されるように第１の細分区域を設定するステップと、
その後、
前記放射ディスプレイ（１００）について、前記放射ディスプレイが前記放射ディスプレイ（１００）のための放射ディスプレイ目標値に対して最適化されるように前記第２の細分区域を設定するステップとを含む、請求項１に記載の方法。
【請求項３】
前記複数の第２の細分区域は複数のさらに別の細分区域にグループ化され、前記第２の細分区域を設定する前記ステップは以下のステップを行うことによって実行され、前記以下のステップは、
各々のさらに別の細分区域について、前記さらに別の細分区域が前記さらに別の細分区域のためのなお一層の細分区域目標値に対して最適化されるように前記第２の細分区域を設定するステップと、
前記第２の細分区域を設定した後、
前記放射ディスプレイ（１００）について、前記放射ディスプレイが前記放射ディスプレイ（１００）のための放射ディスプレイ目標値に対して最適化されるように前記さらに別の細分区域を設定するステップとを含む、請求項２に記載の方法。
【請求項４】
前記第１の細分区域は放射ディスプレイタイル（１１８）である、請求項１に記載の方法。
【請求項５】
前記第１の細分区域は放射ディスプレイモジュール（１２０）であり、前記第２の細分区域は、複数のディスプレイモジュール（１２０）を含むディスプレイタイル（１１８）である、請求項２または３のいずれかに記載の方法。
【請求項６】
前記さらに別の細分区域は、複数のディスプレイタイル（１１８）を含む放射ディスプレイスーパータイルである、請求項３に記載の方法。
【請求項７】
各々の第１の細分区域について、前記放射装置を設定するステップは、前記放射装置が当該第１の細分区域の前記第１の細分区域目標値の１０％以内、好ましくは５％以内、最も好ましくは０．８％以内となるように前記放射装置を設定するステップを含む、請求項１から６のいずれかに記載の方法。
【請求項８】
前記放射ディスプレイ（１００）について、前記第１の細分区域を設定するステップは、前記第１の細分区域が当該放射ディスプレイ（１００）の放射ディスプレイ目標値の１０％以内、好ましくは５％以内、最も好ましくは０．８％以内となるように前記第１の細分区域を設定するステップを含む、請求項１、４または７のいずれかに記載の方法。
【請求項９】
前記第１の細分区域を設定するステップは、前記第１の細分区域が当該第２の細分区域の第２の細分区域目標値の１０％以内、好ましくは５％以内、最も好ましくは０．８％以内となるように前記第１の細分区域を設定するステップを含み、
前記第２の細分区域を設定するステップは、前記第２の細分区域が前記放射ディスプレイ（１００）の前記放射ディスプレイ目標値の１０％以内、好ましくは５％以内、最も好ましくは０．８％以内となるように前記第２の細分区域を設定するステップを含む、請求項２に従属する場合、請求項２、３、５、６または７のいずれかに記載の方法。
【請求項１０】
前記第１の細分区域を設定するステップは、前記第１の細分区域が当該第２の細分区域の第２の細分区域目標値の１０％以内、好ましくは５％以内、最も好ましくは０．８％以内となるように前記第１の細分区域を設定するステップを含み、
前記第２の細分区域を設定するステップは、前記第２の細分区域が当該さらに別の細分区域の前記さらに別の細分区域目標値の１０％以内、好ましくは５％以内、最も好ましくは０．８％以内となるように前記第２の細分区域を設定するステップを含み、
前記さらに別の細分区域を設定するステップは、前記さらに別の細分区域が放射ディスプレイの放射ディスプレイ目標値の１０％以内、好ましくは５％以内、最も好ましくは０．８％以内となるように前記さらに別の細分区域を設定するステップを含む、請求項３に従属する場合、請求項３、５、６または７のいずれかに記載の方法。
【請求項１１】
前記第１の細分区域目標値、前記第２の細分区域目標値、前記さらに別の細分区域目標値および／または前記放射ディスプレイ目標値のうちいずれかまたは複数の値を決定する際に、環境パラメータが考慮に入れられる、請求項３に従属する場合、請求項３、５、６、７または１０のいずれかに記載の方法。
【請求項１２】
前記環境パラメータは、少なくとも１つの放射装置、第１の細分区域、第２の細分区域またはさらに別の細分区域の温度を測定することにより得られる、請求項１１に記載の方法。
【請求項１３】
前記環境パラメータを考慮に入れるステップは、周囲温度を測定するステップと、前記測定された周囲温度から少なくとも１つの放射装置、第１の細分区域、第２の細分区域またはさらに別の細分区域の温度を推定するステップとを含む、請求項１１または１２に記載の方法。
【請求項１４】
前記環境パラメータは周囲照明、周囲湿度のうちいずれかまたは両方である、請求項１１から１３のいずれかに記載の方法。
【請求項１５】
前記第１の細分区域目標値、第２の細分区域目標値、さらに別の細分区域目標値および／または放射ディスプレイ目標値のうちいずれかまたは複数の値を決定する際に、前記第１の細分区域または第２の細分区域またはさらに別の細分区域に記憶される動作パラメータが考慮に入れられる、請求項３に従属する場合、請求項３、５、６、７または１０から１４のいずれかに記載の方法。
【請求項１６】
前記動作パラメータは、前記第１の細分区域もしくは前記第２の細分区域もしくは前記さらに別の細分区域の経年変化、または前記第１の細分区域もしくは前記第２の細分区域もしくは前記さらに別の細分区域の全体のオンの時間のうちいずれかまたは両方を含む、
請求項１５に記載の方法。
【請求項１７】
前記放射装置を設定するステップは、制御パラメータを検索しかつ調整するステップを含む、請求項１から１６のいずれかに記載の方法。
【請求項１８】
前記放射装置、前記第１の細分区域、前記第２の細分区域および前記さらに別の細分区域を設定するステップは、前記放射装置、前記第１の細分区域、前記第２の細分区域および前記さらに別の細分区域を較正するためのパラメータを適応させるための適応較正アルゴリズムを含む、請求項３に従属する場合、請求項３、５、６、７または１０から１７のいずれかに記載の方法。
【請求項１９】
前記較正は周期的に実行される、請求項１８に記載の方法。
【請求項２０】
前記較正は輝度および／または色の較正を含む、請求項１８または１９のいずれかに記載の方法。
【請求項２１】
タイル状に配置された大画面の放射ディスプレイ（１００）に関連付けられる計算装置上で実行される際に請求項１から２０に記載の方法のいずれかを実行するためのコンピュータプログラムプロダクト。
【請求項２２】
請求項２１に記載のコンピュータプログラムプロダクトを記憶する機械読取可能なデータ記憶装置。
【請求項２３】
ローカルまたはワイドエリア通信ネットワークを介する、請求項２１に記載のコンピュータプログラムプロダクトの伝送。
【請求項２４】
タイル状に配置された大画面の放射ディスプレイ（１００）とともに用いるための制御ユニットであって、前記放射ディスプレイ（１００）は第１の細分区域の組を含み、前記第１の細分区域の各々は複数の放射装置を含み、前記制御ユニットは前記タイル状に配置された大画面の放射ディスプレイ（１００）の設定を制御するよう適合され、前記制御ユニットは、
各々の第１の細分区域が当該第１の細分区域のための第１の細分区域目標値に最適化されるように各々の第１の細分区域の前記放射装置を設定するための手段と、
前記放射ディスプレイ（１００）が当該放射ディスプレイ（１００）のための放射ディスプレイ目標値に最適化されるように、各々の第１の細分区域のための前記第１の細分区域目標値を考慮に入れて前記放射ディスプレイ（１００）の前記第１の細分区域を設定するための手段とを含む、制御ユニット。
【請求項２５】
前記第１の細分区域は第２の細分区域の組にグループ化され、前記第１の細分区域を設定するための前記手段は、
各々の第２の細分区域が当該第２の細分区域のための第２の細分区域目標値に最適化されるように、各々の第１の細分区域のための前記第１の細分区域目標値を考慮に入れて各々の前記第２の細分区域の前記第１の細分区域を設定するための手段と、
前記放射ディスプレイ（１００）が当該放射ディスプレイ（１００）のための放射ディスプレイ目標値に最適化されるように、各々の前記第２の細分区域のための前記第２の細分区域目標値を考慮に入れて前記放射ディスプレイ（１００）の前記第２の細分区域を設定するための手段とを含む、タイル状に配置された大画面の放射ディスプレイ（１００）とともに用いるための、請求項２４に記載の制御ユニット。
【発明の詳細な説明】
【技術分野】
【０００１】
発明の分野
この発明は、有機発光ダイオード（ＯＬＥＤ）ディスプレイなどのモジュール方式の大画面の放射ディスプレイのための制御システムおよび方法に関する。
【背景技術】
【０００２】
発明の背景
ＯＬＥＤ技術は、電極間に挟まれてＤＣ電流を受けるとさまざまな色の強い光を生じる有機発光材料を取入れている。これらのＯＬＥＤ構造を組合せて、１つのディスプレイを構成する絵素または画素にすることができる。また、ＯＬＥＤは、個別の発光素子として、または、発光アレイもしくはディスプレイのアクティブな素子として、時計、電話、ラップトップコンピュータ、携帯無線呼出し機、セルラー式電話、計算機などのフラットパネルディスプレイ等のさまざまな用途においても有用である。これまで、発光アレイまたはディスプレイの使用は、上述の用途等の小画面の用途にほぼ限られてきた。
【０００３】
しかしながら、現在、市場では、ディスプレイのサイズをカスタマイズする柔軟性を有する、より大きなディスプレイが求められている。たとえば、広告主は、販促物については標準サイズを用いるが、これらのサイズは場所に基づいて異なる。したがって、英国（the United Kingdom）用の標準的なディスプレイのサイズは、カナダ（Canada）またはオーストラリア（Australia）のものとは異なる。加えて、広告主は、見本市において、持ち運びが容易でかつ組立および解体が容易な、明るく、人目を引き、柔軟性のあるシステムを必要とする。カスタマイズが可能な大型のディスプレイシステムを求めて成長しつつあるさらに別の市場が、制御室の業界である。ここでは、最大表示量、最大表示品質、および最大視野角が極めて重要である。業界は、より高い品質と、より大きな光出力とを有する大画面のディスプレイの用途に対する需要により、これまでのＬＥＤおよび液晶ディスプレイ、すなわちＬＣＤ、に取って代わる代替的な表示技術に目を向けるようになった。たとえばＬＣＤは、大画面のディスプレイ市場が望む、明るく大きな光出力、より大きな視野角、ならびに高解像度および高速度の要件を提供することができない。それとは対照的に、ＯＬＥＤ技術は、高解像度およびより広い視野角において、明るく鮮明な色彩を保証する。しかしながら、大画面のディスプレイの応用例、たとえば屋外または屋内の競技場のディスプレイ、販売広告用の大型ディスプレイ、および一般大衆向け情報用のディスプレイにおいて、ＯＬＥＤ技術の使用はまだ始まったばかりである。
【０００４】
たとえばタイル状に配置されたＯＬＥＤディスプレイなどのモジュール方式の、またはタイル状に配置された放射ディスプレイは、より小さなモジュールまたはディスプレイから作られ、さらにこれらがより大きなタイルに組込まれる。これらのタイル状に配置された放射ディスプレイは完全なユニットとして製造され、さらに他のタイルと組合されて、任意の寸法および形状のディスプレイを形成する。しかしながら、大画面の放射ディスプレイに対する制御アルゴリズムに対処するために、高帯域幅であり高レベルの処理能力を有する極めて複雑な制御ソフトウェアが必要とされる。大画面の放射ディスプレイを制御および較正するためのあまり複雑でないソフトウェア制御システムが必要とされる。さらに、モジュール方式で拡大縮小可能なタイル状に配置された放射ディスプレイを自動的に構成するためのソフトウェア制御システムも必要とされる。
【０００５】
ディスプレイのためのソフトウェア制御システムの例がＵＳ−５，７３９，８０９に記
載される。記載されるシステムは、表示された仮想制御をユーザが選択するのに応じてディスプレイを制御し、さらには任意に較正するようプログラムされたプロセッサを含む。このシステムの好ましい実施例はディスプレイ装置内に回路を含み、この回路は、ディスプレイ装置のパラメータを調整するためにユーザによって入力されたコマンドに応じてソフトウェアの制御下で作動する。好ましい実施例では、プロセッサは複数の種類のデータを記憶するソフトウェアでプログラムされ、当該データは、較正中に測定された表示パラメータと、表示制御パラメータの第１の組と第２の組との差を示す、ユーザによって指定された調整データとを別個のデータファイルの中に含む。ソフトウェアはまた、ロック動作を実行して、ディスプレイ装置上での機械的制御を不可能にし、ディスプレイの状態を周期的かつ自動的にポーリングし、所望の値とは異なる値の表示パラメータをいずれも自動的に補正する。
【特許文献１】ＵＳ−５，７３９，８０９
【発明の開示】
【発明が解決しようとする課題】
【０００６】
ＵＳ−５，７３９，８０９に記載される表示較正および制御方法はディスプレイ装置を制御するのに好適な手段を提供するが、記載されるソフトウェア制御システムは大画面の放射ディスプレイの応用例で用いるには極めて複雑である。
【０００７】
発明の概要
したがって、この発明の目的は、従来のシステムに比べてソフトウェアの複雑性が減じられたタイル状に配置された大画面の放射ディスプレイを制御しかつ較正するためのシステムおよび方法を提供することである。
【０００８】
この発明のさらに別の目的は、タイル状に配置された大画面の放射ディスプレイの応用例内で自動的に複数の放射ディスプレイタイルを関連付けかつ構成することのできる制御システムおよび方法を提供することである。
【０００９】
上述の目的は、この発明に従った方法および装置によって達成される。
【００１０】
この発明は、タイル状に配置された大画面の放射ディスプレイを制御するための方法に関する。放射ディスプレイは少なくとも複数の第１の細分区域を含み、上記第１の細分区域の各々は複数の放射装置を含む。当該方法は、
−  第１の細分区域の各々について、上記第１の細分区域の各々が、その第１の細分区域のための第１の細分区域目標値に対して最適化されるように放射装置を設定するステップと、
放射装置を設定した後に、
−  放射ディスプレイについて、上記放射ディスプレイが上記放射ディスプレイのための放射ディスプレイ目標値に対して最適化されるように第１の細分区域を設定するステップとを含む。当該方法のこの実施例においては、第１の細分区域は放射ディスプレイタイルであってもよい。
【００１１】
タイル状に配置された大画面の放射ディスプレイを制御する方法はまた、付加的なレベルでの制御を含み得る。タイル状に配置された大画面の放射ディスプレイの複数の第１の細分区域は複数の第２の細分区域にグループ化されてもよく、第１の細分区域の数は第２の細分区域の数よりも多い。上述の制御方法での第１の細分区域の設定は、以下のステップを行うことよって実行され得る。当該以下のステップは、
−  第２の細分区域の各々について、上記第２の細分区域の各々がその第２の細分区域のための第２の細分区域目標値に対して最適化されるように第１の細分区域を設定するステップと、
その後、
放射ディスプレイについて、放射ディスプレイが上記放射ディスプレイのための放射ディスプレイ目標値に対して最適化されるように第２の細分区域を設定するステップとを含む。当該方法のこの実施例においては、第１の細分区域は、たとえば放射ディスプレイモジュールを指し、第２の細分区域は放射ディスプレイタイルを指し得る。第１の細分区域および第２の細分区域の実現はディスプレイの実現に依存し得る。
【００１２】
複数の第２の細分区域が複数のさらに別の細分区域にグループ化されているタイル状に配置された大画面の放射ディスプレイのためにさらに別のレベルの制御が導入される場合、さらに別の細分区域の数は第２の細分区域の数よりも少なく、当該制御方法による第２の細分区域の上記設定は、以下のステップを行うことによって実行され得る。当該以下のステップは、
−  各々のさらに別の細分区域について、さらに別の細分区域が上記さらに別の細分区域のためのさらに別の細分区域目標値に対して最適化されるように第２の細分区域を設定するステップと、
その後、
−  放射ディスプレイについて、放射ディスプレイが上記放射ディスプレイのための放射ディスプレイ目標値に対して最適化されるようにさらに別の細分区域を設定するステップとを含む。さらに別の細分区域はたとえば、いくつかのタイルを、たとえば各々がｒ×ｓ個のタイルの配列となるようグループ化するスーパータイルに関し得る。
【００１３】
特定の実施例においては、タイル状に配置された大画面の放射ディスプレイを制御するための方法が開示される。放射ディスプレイは放射ディスプレイタイルの組を含み、上記放射ディスプレイタイルの各々は放射ディスプレイモジュールの組を含み、上記放射ディスプレイモジュールの各々は複数の放射ディスプレイ装置を含む。当該方法は、
−  各放射ディスプレイモジュールについて、各放射ディスプレイモジュールがその放射ディスプレイモジュールのためのモジュール目標値に対して最適化されるように放射ディスプレイ装置を設定するステップと、
−  各放射ディスプレイタイルについて、各放射ディスプレイタイルがその放射ディスプレイタイルのためのタイル目標値に対して最適化されるように、各放射ディスプレイモジュールのためのモジュール目標値を考慮に入れて放射ディスプレイモジュールを設定するステップと、
−  放射ディスプレイについて、放射ディスプレイがその放射ディスプレイのためのディスプレイ目標値に対して最適化されるように、各放射ディスプレイタイルのためのタイル目標値を考慮に入れて放射ディスプレイタイルを設定するステップとを含む。
【００１４】
放射ディスプレイは、ＯＬＥＤディスプレイまたは他のいかなる種類の放射ディスプレイであってもよい。詳細な説明においては、タイル状に配置された大画面の放射ディスプレイを３つのレベルで、すなわち、画素とも称される装置、モジュールおよびタイルで制御するための例が挙げられるが、タイル状に配置された大画面の放射ディスプレイを制御するためのレベルの数は、たとえば、いくつかのタイルを、たとえば各々がｒ×ｓ個のタイルの配列となるようにグループ化するスーパータイルを導入することにより、または、いくつかのスーパータイルをグループ化する超スーパータイルを導入することによっても、より多くなる可能性がある。一方で、制御レベルの数はまた、２つのレベル、すなわち装置または画素およびタイルの制御、に制限され得る。
【００１５】
上述の方法においては、放射装置の設定は、放射装置がその第１の細分区域の第１の細分区域目標値の１０％以内、好ましくは５％以内、最も好ましくは０．８％以内となるように放射装置を設定するステップを含み得る。さらに、第１の細分区域の設定は、第１の細分区域がその放射ディスプレイの放射ディスプレイ目標値の１０％以内、好ましくは５
％以内、最も好ましくは０．８％以内となるように、または、その第２の細分区域の第２の細分区域目標値の１０％以内、好ましくは５％以内、最も好ましくは０．８％以内となるように、制御方法において用いられる制御レベルの数に応じて、すなわち、複数の第１の細分区域がグループ化され得る第２の細分区域の組の存在に応じて、第１の細分区域を設定するステップを含み得る。
【００１６】
同様にして、制御レベルの数に応じて、第２の細分区域の設定は、第２の細分区域が放射ディスプレイの放射ディスプレイ目標値の１０％以内、好ましくは５％以内、最も好ましくは０．８％以内となるように、または、そのさらに別の細分区域のさらに別の細分区域目標値の１０％以内、好ましくは５％以内、最も好ましくは０．８％以内となるように第２の細分区域を設定するステップを含み得る。後者は、第２の細分区域がさらに別の細分区域の組にグループ化され、それら自体が放射ディスプレイにグループ化される場合に行われる。
【００１７】
さらに別の細分区域が存在する場合、さらに別の細分区域の設定は、それらが放射ディスプレイの放射ディスプレイ目標値の１０％以内、より好ましくは５％以内、最も好ましくは０．８％以内となるようになされ得る。
【００１８】
上述の制限がすべて目標値である場合には、達し得る実際の目標値は、目標パラメータとして選択されるパラメータに依存する可能性があり、たとえば、パラメータ輝度に対し０．８％が達成され得る。これは、良好な目標レベルの値が０．８％よりも高い可能性がある他のパラメータに対して過酷な条件となるだろう。
【００１９】
第１の細分区域目標値、第２の細分区域目標値、さらに別の細分区域目標値および／または放射ディスプレイ目標値のうちいずれかまたは複数の値を決定する際に、環境パラメータが考慮に入れられてもよい。異なる目標値は、導入される異なる制御レベルに対応する。この環境パラメータは、少なくとも１つの放射装置、第１の細分区域、第２の細分区域またはさらに別の細分区域の温度を測定することによって得ることができる。これはまた、周囲温度を測定するステップと、測定された周囲温度から少なくとも１つの放射装置、第１の細分区域、第２の細分区域またはさらに別の細分区域の温度を推定するステップとを含み得る。環境パラメータはまた、周囲の照度、大気の湿度のうちいずれかまたは両方であり得る。
【００２０】
第１の細分区域目標値、第２の細分区域目標値、さらに別の細分区域目標値および／または放射ディスプレイ目標値のうちいずれかまたは複数の値を決定するステップは、第１の細分区域、または存在するのであれば第２の細分区域、またはさらに別の細分区域に記憶される動作パラメータを考慮に入れることも含み得る。この動作パラメータは、第１の細分区域、もしくは存在するのであれば第２の細分区域もしくはさらに別の細分区域の（たとえば、放射素子にわたる電圧の変化によって決定される）寿命、または、第１の細分区域、もしくは存在するのであれば第２の細分区域もしくはさらに別の細分区域の全体のオンの時間のうちいずれかまたは両方を含み得る。
【００２１】
放射装置を設定するステップはまた、制御パラメータを検索しかつ調整するステップを含み得る。
【００２２】
放射装置、第１の細分区域、第２の細分区域およびさらに別の細分区域の設定は、放射装置、第１の細分区域、第２の細分区域およびさらに別の細分区域を較正するための適応較正アルゴリズムを用いるステップを含み得る。この較正は周期的に実行され得る。それは輝度および／または色の較正を含み得る。
【００２３】
この発明はまた、タイル状に配置された大画面の放射ディスプレイに関連付けられる計算装置上で実行される場合に、この発明に従ったタイル状に配置された大画面の放射ディスプレイを制御する方法を実行するためのコンピュータプログラムプロダクトに関し、当該制御方法は上述の方法に従っている。この発明はさらに、このコンピュータプログラムを記憶する読取可能なデータ記憶装置、または、ローカルもしくはワイドエリア通信ネットワークを介するこのコンピュータプログラムの伝送に関する。
【００２４】
この発明はさらに、タイル状に配置された大画面の放射ディスプレイとともに用いるための制御ユニットに関し、上記放射ディスプレイは第１の細分区域の組を含み、上記第１の細分区域の各々は複数の放射装置を含み、制御ユニットはタイル状に配置された大画面の放射ディスプレイの設定を制御するよう適合され、当該制御ユニットは、
−  各々の第１の細分区域がその第１の細分区域のための第１の細分区域目標値に最適化されるように各々の第１の細分区域の放射装置を設定するための手段と、
−  放射ディスプレイがその放射ディスプレイの放射ディスプレイ目標値に最適化されるように、各々の第１の細分区域のための第１の細分区域目標値を考慮に入れて放射ディスプレイの第１の細分区域を設定するための手段とを含む。
【００２５】
多数の制御レベルが用いられる場合、たとえば第１の細分区域が第２の細分区域の組にグループ化される場合、第１の細分区域を設定するための手段は、
−  第２の細分区域がその第２の細分区域のための第２の細分区域目標値に最適化されるように、各々の第１の細分区域のための第１の細分区域目標値を考慮に入れて各々の第２の細分区域の第１の細分区域を設定するための手段と、
−  放射ディスプレイがその放射ディスプレイのための放射ディスプレイ目標値に最適化されるように、各々の第２の細分区域のための第２の細分区域目標値を考慮に入れて放射ディスプレイの第２の細分区域を設定するための手段とを含む。
【００２６】
装置、第１の細分区域、第２の細分区域およびさらに別の細分区域は、放射ディスプレイ画素、放射ディスプレイモジュール、放射ディスプレイタイルおよび放射ディスプレイスーパータイルにそれぞれ関連し得る。タイル状に配置された大画面のディスプレイを制御するのに用いられる制御レベルの数は、大画面のディスプレイの必要性とサイズとに応じてさらに多くなる可能性がある。より多くの制御レベルに対する上述の推定は、当業者の技術の範囲内にある。
【発明を実施するための最良の形態】
【００２７】
この発明のこれらおよび他の特徴、特性および利点は、例示のためにこの発明の原理を示す添付の図面に関連して以下の詳細な説明からより明らかとなるだろう。この説明は例示のためだけになされ、この発明の範囲を限定するものではない。以下に引用される参照番号は添付の図面を参照する。
【００２８】
具体的な実施例の詳細な説明
この発明は、特定の実施例に関し、添付の図面に関連して説明されるが、それに限定されるものではなく、特許請求の範囲によってのみ限定される。添付の図面は単に概略的なものであり、限定的なものではない。添付の図面において、いくつかの要素の寸法は、説明の目的で拡大される可能性があり、一定の比例に応じて描かれていない場合がある。
【００２９】
この発明は、モジュール方式の、タイル状に配置された大画面の放射ディスプレイの応用例とともに用いるための制御システムに関する。この発明の制御システムは、放射タイルの物理的な組立中に放射ディスプレイシステムを初期設定しかつ構成する動作を実行し、放射ディスプレイタイルをアドレス指定し、均一な画像および適切な画像サイズとなるよう放射ディスプレイタイルを制御する。さらに、この発明の制御システムは、不良な放
射ディスプレイタイルを交換するホットスワップ能力および新しい放射ディスプレイタイルを検出する機構などの付加的な特徴、ならびに、ガンマ曲線の調整、色点の調整、輝度の調整および高い放送能力などの映像特徴に対処する。既知のデータストリームに基づき、制御システムは映像内容を決定し、それに従って調整を行なう。最後に、この発明の制御システムはディスプレイの欠陥を特徴に変えることができ、すなわち、特定の欠陥を隠しつつ、欠陥を補償してディスプレイ画像を向上させる。
【００３０】
一例として、タイル状に配置された大画面の放射ディスプレイシステムを制御するための方法およびシステムが、タイル状に配置された大画面のＯＬＥＤディスプレイシステムに関して記載される。それにもかかわらず、タイル状に配置された大画面の放射ディスプレイを制御するための方法およびシステムはＯＬＥＤタイルには限定されず、タイル状に配置された大画面の放射ディスプレイに好適な放射ディスプレイタイルをいずれも用いることができる。
【００３１】
図１は、モジュール方式のアーキテクチャを有し、この発明の実施例に従った制御システムとともに用いるのに好適である大画面のＯＬＥＤディスプレイシステム１００を示す機能ブロック図である。ＯＬＥＤディスプレイシステム１００は、システムコントローラ１１０、デジタイザ１１２およびディスプレイの壁１１４を含み、このディスプレイの壁１１４はさらに、ＯＬＥＤサブディスプレイ１１６の集まり、たとえば、ＯＬＥＤサブディスプレイ１１６ａ、１１６ｂ、１１６ｃおよび１１６ｄを含む。ＯＬＥＤサブディスプレイ１１６ｃの拡大図がまた、一例として図１に示される。この例においては、ＯＬＥＤサブディスプレイ１１６ｃはさらに、ＯＬＥＤタイル１１８のｎ×ｍの配列、たとえば３×３の配列を含む。より具体的には、ＯＬＥＤサブディスプレイ１１６ｃはＯＬＥＤタイル１１８ａ、１１８ｂ、１１８ｃ、１１８ｄ、１１８ｅ、１１８ｆ、１１８ｇ、１１８ｈおよび１１８ｊを含む。さらに、ＯＬＥＤタイル１１８の各々は、ＯＬＥＤモジュール１２０のｐ×ｑの配列、たとえば３×３の配列を含む。より具体的には、各ＯＬＥＤタイル１１８は、所与の例においては、ＯＬＥＤモジュール１２０ａ、１２０ｂ、１２０ｃ、１２０ｄ、１２０ｅ、１２０ｆ、１２０ｇ、１２０ｈおよび１２０ｊを含む。加えて、各ＯＬＥＤモジュール１２０はさらに、ＯＬＥＤ装置の配列（図面には詳細に図示せず）、すなわち、たとえば赤、緑、青（ＲＧＢ）の画素の配列を含む。概して、図１に示される３×３の配置は本質的に単に例示的なものであり、ＯＬＥＤサブディスプレイ１１６ａ、１１６ｂ、１１６ｃおよび１１６ｄは各々、ＯＬＥＤタイル１１８をいくつ含んでもよく、同様に、ＯＬＥＤタイル１１８は各々、ＯＬＥＤモジュール１２０をいくつ含んでもよい。最後に、ＯＬＥＤディスプレイシステム１００は、１つ以上の周囲環境コントローラ（ＡＥＣ）１２２、たとえばＡＥＣ１２２ａ、１２２ｂ、１２２ｃおよび１２２ｄを含む。
【００３２】
システムコントローラ１１０は、ＯＬＥＤディスプレイシステム１００を作動させるためのシステム制御ソフトウェアを実行することのできるいずれかの標準的な処理装置、たとえばパーソナルコンピュータ（ＰＣ）、ラップトップまたはホストコンピュータを表す。システムコントローラ１１０は、ＯＬＥＤディスプレイシステム１００のシステムレベルのコントローラとして機能する。システムコントローラ１１０は、通信リンクを確立するＲＳ２３２などの標準的なコネクタを介してデジタイザ１１２に電気的に接続され得る。
【００３３】
デジタイザ１１２は、ＯＬＥＤディスプレイシステム１００によって表示可能なデジタル形式へといずれの映像信号をも変換する周知の装置である。デジタイザ１１２はディスプレイの壁１１４のために「入力マネージャ」としての役割を果たす。ディスプレイの壁１１４上に表示されるべき信号を供給するさまざまな映像源、たとえばシステムコントローラ１１０からの映像源はデジタイザ１１２に接続され得る。デジタイザ１１２は、これらの入力信号を、ディスプレイの壁１１４と互換性のあるデジタル信号に変換する。
【００３４】
システムコントローラ１１０からの制御データ信号、たとえばシリアルな制御データ信号と、いずれかの源からの映像データ信号、たとえばシリアルなＲＧＢ映像データ信号とがデジタイザ１１２を介してディスプレイの壁１１４に供給される。映像データ信号は、ＯＬＥＤサブディスプレイ１１６ａ、１１６ｂ、１１６ｃ、１１６ｄ上に表示されるべき現在の映像フレーム情報を含む。制御データ信号は、各ＯＬＥＤサブディスプレイ１１６内の各ＯＬＥＤタイル１１８についての色温度、ガンマおよび画像化情報などの制御情報をＯＬＥＤサブディスプレイ１１６ａ、１１６ｂ、１１６ｃ、１１６ｄに供給する。信号および電力の分配についてのいくつかの方法、たとえばマルチライン方式、スター配線方式またはデイジーチェーン方式がディスプレイの壁１１４内で用いられ得る。信号の分配のマルチライン方式はディスプレイの壁１１４内で実現され、これは図２Ａに示される。
【００３５】
中央処理装置（図示せず）からのデータ入力信号データイン（ＤＡＴＡ  ＩＮ）１４０がデータリクロッカ１４２ａの入力に供給される。データ入力信号１４０は、たとえばシリアルな映像データおよび制御データを表わす。次に、データリクロッカ１４２ａは、このシリアルな映像データおよび制御データを１つのＯＬＥＤタイル１１８ならびに次のデータリクロッカ１４２に再伝送する。すなわち、図示される例においては、データリクロッカ１４２ｂの入力とＯＬＥＤタイル１１８ｇのデータ入力コネクタとに再伝送する。同様に、データリクロッカ１４２ｂは、受信したシリアルな映像および制御データ信号をデータリクロッカ１４２ｃの入力とＯＬＥＤタイル１１８ｈのデータ入力コネクタとに伝送する。最後に、データリクロッカ１４２ｃは、受信したシリアルな映像データおよび制御データをＯＬＥＤタイル１１８ｊのデータ入力コネクタに伝送する。このようにして、データイン信号１４０がＯＬＥＤサブディスプレイ１１６のうち１つの行のＯＬＥＤタイル１１８すべてに分配される。ＯＬＥＤディスプレイにおけるデータリンクが双方向性であるので、データリクロッカ１４２ａ、１４２ｂおよび１４２ｃをＯＬＥＤサブディスプレイ１１６の最底部ではなく最上部に配置することができ、こうして、データイン信号１４０をＯＬＥＤタイル１１８ａ、１１８ｂ、１１８ｃのデータ入力コネクタに供給することができることにも留意されたい。これらの双方向性リンクにより、データ入力信号データイン１４０をある１つの列の終端から隣接する列の先頭に渡すことも可能となる。同様に、「行」および「列」という用語は置換え可能であり、すなわち、データリクロッカがＯＬＥＤサブディスプレイ１１６のうち１つの列のＯＬＥＤタイル１１８すべてにデータイン信号１４０を分配し得ることを意味することに留意されたい。
【００３６】
ＯＬＥＤタイル１１８のデータ入力コネクタは、ＯＬＥＤタイル１１８上に表示されるべき現在の映像フレーム情報を含む映像データ信号を受信し、かつデータリクロッカ１４２から制御データ信号を受信するための電気的接続を提供する。その後、映像データおよび制御データは、データイン信号１４０が或る１列のＯＬＥＤタイル１１８すべてに供給された場合に１つのＯＬＥＤタイル１１８から同じ列に沿って次のＯＬＥＤタイル１１８に転送されるか、またはデータイン信号１４０が或る１列のＯＬＥＤタイルアセンブリすべてに供給された場合に同じ列に沿って次のＯＬＥＤタイル１１８に転送される。以下に、図２Ａの状況、すなわち、データイン信号１４０が同じ列に沿ってすべてのＯＬＥＤタイル１１８に供給された例がさらに説明される。たとえば、図２を参照すると、映像データおよび制御データは、ＯＬＥＤタイル１１８ｇのデータ出力コネクタ１３２とＯＬＥＤタイル１１８ｄのデータ入力コネクタ１３０との間の電気的接続を介してＯＬＥＤタイル１１８ｇからＯＬＥＤタイル１１８ｄに転送され、次いで、ＯＬＥＤタイル１１８ｄのデータ出力コネクタ１３２とＯＬＥＤタイル１１８ａのデータ入力コネクタ１３０との間の電気的接続を介してＯＬＥＤタイル１１８ｄからＯＬＥＤタイル１１８ａに転送される。同様に、映像データおよび制御データは、ＯＬＥＤタイル１１８ｈのデータ出力コネクタ１３２とＯＬＥＤタイル１１８ｅのデータ入力コネクタ１３０との間の電気的接続を介してＯＬＥＤタイル１１８ｈからＯＬＥＤタイル１１８ｅに転送され、次いで、ＯＬＥＤタ
イル１１８ｅのデータ出力コネクタ１３２とＯＬＥＤタイル１１８ｂのデータ入力コネクタ１３０との間の電気的接続を介してＯＬＥＤタイル１１８ｅからＯＬＥＤタイル１１８ｂに転送される。最後に、映像データおよび制御データは、ＯＬＥＤタイル１１８ｊのデータ出力コネクタ１３２とＯＬＥＤタイル１１８ｆのデータ入力コネクタ１３０との間の電気的接続を介してＯＬＥＤタイル１１８ｊからＯＬＥＤタイル１１８ｆに転送され、次いで、ＯＬＥＤタイル１１８ｆのデータ出力コネクタ１３２とＯＬＥＤタイル１１８ｃのデータ入力コネクタ１３０との間の電気的接続を介してＯＬＥＤタイル１１８ｆからＯＬＥＤタイル１１８ｃに転送される。いずれの場合にも、映像データおよび制御データは各ＯＬＥＤタイル１１８の制御盤によって再伝送される。
【００３７】
電力分配のマルチライン方式は、以下のように、同じ列または行に沿った１つのＯＬＥＤタイル１１８から次のＯＬＥＤタイル１１８へのＡＣ電力接続によって達成される。本線電源（図示せず）からの電力入力信号１１４ａは、ＯＬＥＤタイル１１８ｇの電力入力コネクタ１３４への電気的接続を介してＯＬＥＤタイル１１８ｇに供給される。次いで、ＡＣ電力は、ＯＬＥＤタイル１１８ｇの電力出力コネクタ１３６とＯＬＥＤタイル１１８ｄの電力入力コネクタ１３４との間の電気的接続を介してＯＬＥＤタイル１１８ｇからＯＬＥＤタイル１１８ｄに転送される。その後、ＡＣ電力は、ＯＬＥＤタイル１１８ｄの電力出力コネクタ１３６とＯＬＥＤタイル１１８ａの電力入力コネクタ１３４との間の電気的接続を介してＯＬＥＤタイル１１８ｄからＯＬＥＤタイル１１８ａに転送される。同様に、本線電源（図示せず）からの電力入力信号１１４ｂは、ＯＬＥＤタイル１１８ｈの電力入力コネクタ１３４への電気的接続を介してＯＬＥＤタイル１１８ｈに供給される。次に、ＡＣ電力は、ＯＬＥＤタイル１１８ｈの電力出力コネクタ１３６とＯＬＥＤタイル１１８ｅの電力入力コネクタ１３４との間の電気的接続を介してＯＬＥＤタイル１１８ｈからＯＬＥＤタイル１１８ｅに転送される。次いで、ＡＣ電力は、ＯＬＥＤタイル１１８ｅの電力出力コネクタ１３６とＯＬＥＤタイル１１８ｂの電力入力コネクタ１３４との間の電気的接続を介してＯＬＥＤタイル１１８ｅからＯＬＥＤタイル１１８ｂに転送される。最後に、本線電源（図示せず）からの電力入力信号１１４ｃは、ＯＬＥＤタイル１１８ｊの電力入力コネクタ１３４への電気的接続を介してＯＬＥＤタイル１１８ｊに供給される。次いで、ＡＣ電力は、ＯＬＥＤタイル１１８ｊの電力出力コネクタ１３６とＯＬＥＤタイル１１８ｆの電力入力コネクタ１３４との間の電気的接続を介してＯＬＥＤタイル１１８ｊからＯＬＥＤタイル１１８ｆに転送される。次いで、ＡＣ電力は、ＯＬＥＤタイル１１８ｆの電力出力コネクタ１３６とＯＬＥＤタイル１１８ｃの電力入力コネクタ１３４との間の電気的接続を介してＯＬＥＤタイル１１８ｆからＯＬＥＤタイル１１８ｃに転送される。電力入力コネクタ１３４からのＡＣ入力電圧は、単にバスを介してＯＬＥＤタイル１１８の電力出力コネクタ１３６に直接送られる。電力分配は、ＯＬＥＤタイル１１８にわたるデータイン信号１４０の分配と同様に、列方向または行方向に実行され得る。電力入力コネクタ１３４および電力出力コネクタ１３６は、たとえば最大２６５ＡＣボルトおよび１０アンペアまでに対処することのできる従来の電力コネクタである。
【００３８】
信号および電力の分配のための代替的な分配方法はスター分配である（図面には図示せず）。スター分配という用語は、データ信号または電力の分配がタイル状に配置されたＯＬＥＤディスプレイ１１６の中央から端部にまたは端部から中央に発生することを意味する。この分配方法においては、信号がデータリクロッカ１４２によっていくつかの中央のＯＬＥＤタイルアセンブリ１１８に転送され、それらの各々はさらに、タイル状に配置されたＯＬＥＤディスプレイ１１６の中央または端部のそれぞれからさらに離れたタイルにデータ信号を転送する。このようにして、シリアルな映像データおよび制御データの分配は、ＯＬＥＤタイルディスプレイ１１６の中央のアセンブリ１１８から端部のアセンブリ１１８へ、または端部のアセンブリ１１８からＯＬＥＤタイルディスプレイ１１６の中央のアセンブリ１１８へのＯＬＥＤタイルアセンブリ間で得られるので、すべてのＯＬＥＤタイルアセンブリ１１８はシリアルな映像データおよび制御データのうちそれぞれの部分
を得る。望ましい場合、端部のアセンブリから中央のアセンブリへのシリアルな映像データおよび制御データの転送、すなわち、いくつかの端部のアセンブリから始まり、隣接するアセンブリに転送され、ディスプレイの中央部またはその周囲で終了する転送を達成することも可能であり、こうして、すべてのＯＬＥＤタイルアセンブリ１１８がシリアルな映像データおよび制御データのそれぞれの部分を得る。同様にして、この分配方法、すなわちスター分配を電力分配のために達成することができる。
【００３９】
シリアルな映像データおよび制御データならびに電力の両方の第３の分配方法が図２Ｂに示される。図２Ｂは、タイル状に配置されたＯＬＥＤディスプレイ１１６のための分配のデイジーチェーン方式を示す。タイル状に配置されたＯＬＥＤディスプレイ１１６は、ｍ×ｎの配列のＯＬＥＤタイルアセンブリ１１８を表わす。この例においては、３×３の配列が示される。より具体的には、図２Ｂは、タイル状に配置されたＯＬＥＤディスプレイ１１６が、たとえばＯＬＥＤタイルアセンブリ１１８ａ、１１８ｂ、１１８ｃ、１１８ｄ、１１８ｅ、１１８ｆ、１１８ｇ、１１８ｈおよび１１８ｊを含むことを示す。各ＯＬＥＤタイルアセンブリ１１８がその関連するデータ入力コネクタ１３０、データ出力コネクタ１３２、電力入力コネクタ１３４および電力出力コネクタ１３６を含むことがさらに示される。
【００４０】
信号分配のデイジーチェーン分配方式が以下に説明される。中央処理装置（図示せず）からのシリアルな映像データおよび制御データを表わすデータイン信号１４０が、１つのＯＬＥＤタイルアセンブリ１１８の入力に、すなわち、所与の例においては、ＯＬＥＤタイルアセンブリ１１８ｇのデータ入力コネクタ１３０に供給される。その後、シリアルな映像データおよび制御データが１つのＯＬＥＤタイルアセンブリ１１８から隣接する次のＯＬＥＤタイルアセンブリ１１８に転送される。たとえば、図２Ｂを参照すると、シリアルな映像データおよび制御データは、ＯＬＥＤタイルアセンブリ１１８ｇのデータ出力コネクタ１３２とＯＬＥＤタイルアセンブリ１１８ｄのデータ入力コネクタ１３０との間の電気的接続を介してＯＬＥＤタイルアセンブリ１１８ｇからＯＬＥＤタイルアセンブリ１１８ｄに転送され、次に、ＯＬＥＤタイルアセンブリ１１８ｄのデータ出力コネクタ１３２とＯＬＥＤタイルアセンブリ１１８ａのデータ入力コネクタ１３０との間の電気的接続を介してＯＬＥＤタイルアセンブリ１１８ｄからＯＬＥＤタイルアセンブリ１１８ａに転送される。次いで、シリアルな映像データおよび制御データはさらに、ＯＬＥＤタイルアセンブリ１１８ａのデータ出力コネクタ１３２とＯＬＥＤタイルアセンブリ１１８ｂのデータ入力コネクタ１３０との間の電気的接続を介してＯＬＥＤタイルアセンブリ１１８ａからＯＬＥＤタイルアセンブリ１１８ｂに転送される。同様にして、その後、シリアルな映像データおよび制御データは、ＯＬＥＤタイルアセンブリ１１８ｂからＯＬＥＤタイルアセンブリ１１８ｅに、ＯＬＥＤタイルアセンブリ１１８ｅからＯＬＥＤタイルアセンブリ１１８ｈに、ＯＬＥＤタイルアセンブリ１１８ｈからＯＬＥＤタイルアセンブリ１１８ｊに、ＯＬＥＤタイルアセンブリ１１８ｊからＯＬＥＤタイルアセンブリ１１８ｆに、そしてＯＬＥＤタイルアセンブリ１１８ｆからＯＬＥＤタイルアセンブリ１１８ｃに転送される。同様にして、電力分配のデイジーチェーン方式が、１つのＯＬＥＤタイルアセンブリ１１８から次のＯＬＥＤタイルアセンブリ１１８へのＡＣ電力接続によって達成される。
【００４１】
後者の方法では、シリアルな映像データおよび制御データの並列な分配が不可能であるが、すなわち、シリアルな映像データおよび制御データの分配が後に隣接するタイルに発生するが、異なるＯＬＥＤタイルアセンブリによる並列な処理、すなわち同時処理が可能となり得る。
【００４２】
図２Ａおよび図２Ｂでは、同じ分配方式を用いて電力およびデータを分配する。しかしながら、データおよび電力の分配のために同じ方法を用いる必要はない。
【００４３】
ディスプレイの壁１１４のデジタイザ１１２とＯＬＥＤサブディスプレイ１１６との間の通信リンクは、たとえば、デジタル光ファイバ伝送システムであるファイバリンクを介し得る。ファイバリンクは極めて長い距離をカバーすることができ、極めて高い帯域幅を有する。ファイバリンクは、映像信号だけでなく通信信号をもディスプレイの壁１１４に伝送し得る。
【００４４】
デジタイザ１１２を用いると、異なる映像入力信号を組合せるかまたは重ね合わせることができる。いくつかの源が同時にデジタイザ１１２に接続され得るので、いくつかの源からの画像を同時にディスプレイの壁１１４に表示することも可能である。これらの画像は並んで表示され得るか、または重ね合わされ得る。画像が表示される壁は、いずれかの公知の方法で「ウインドウ」を移動させたり拡大縮小したりすることによって編集または変更され得る。ウインドウは、デジタイザ１１２に接続される源、たとえば映像信号、からの画像を表わす。画像が表示されるディスプレイの壁１１４上における区域の位置を変更することが可能であり、これは「ウインドウの移動」として公知である。画像が表示されるであろう区域のサイズを変えることも可能であり、これは「ウインドウの拡大縮小」として公知である。
【００４５】
ディスプレイの壁１１４は、サブディスプレイ１１６の集まりで形成される、ユーザが構成可能なモジュール方式のＯＬＥＤディスプレイを表わす。ディスプレイの壁１１４は、所望のディスプレイ構造を達成するようＯＬＥＤサブディスプレイ１１６を追加するかまたは除去することによりいかなるサイズおよび規模にもカスタマイズ可能である。図１は、ＯＬＥＤサブディスプレイ１１６を含むディスプレイの壁１１４のサンプルの構成を示す。さらに、各ＯＬＥＤサブディスプレイ１１６は、いずれの所与の応用例に対してもユーザによって固有に規定されるＯＬＥＤタイル１１８およびＯＬＥＤモジュール１２０のさまざまな構成を用いて、それぞれ異なるように構成され得る。
【００４６】
加えて、ディスプレイの壁１１４はまた、そのモジュール性のために維持および修復が可能である。たとえば、適切に機能しないかまたは欠陥のある画素を含むＯＬＥＤモジュール１２０は、機能しないＯＬＥＤモジュール１２０を除去し、対応するＯＬＥＤタイル１１８の裏面に新しいＯＬＥＤモジュール１２０を挿入することによって別のＯＬＥＤモジュール１２０と交換され得る。同様に、そのモジュール性のために、適切に機能しないかまたは欠陥のあるＯＬＥＤモジュール１２０もしくは欠陥のある画素を含むいずれかのＯＬＥＤタイル１１８、たとえばＯＬＥＤタイル１１８ａ、１１８ｂ、１１８ｃ、１１８ｄ、１１８ｅ、１１８ｆ、１１８ｇ、１１８ｈまたは１１８ｊは、機能しないＯＬＥＤタイル１１８を除去し、それぞれのＯＬＥＤサブディスプレイ１１６に新しいＯＬＥＤタイル１１８を挿入することによって別のＯＬＥＤタイル１１８と交換され得る。対照的に、先行技術から公知の連続した大きなディスプレイシステムは、ディスプレイの部分が誤作動するかまたは画素が暗くなる場合、その全体が交換されなければならない。したがって、ディスプレイの壁１１４などのモジュール方式のディスプレイにより、従来の大きな単一ユニットのディスプレイよりもディスプレイの寿命が長くなり、交換にかかるコストが低減される。
【００４７】
各ＡＥＣ１２２は、たとえば温度センサ、光センサおよび湿度センサなどの、周囲の環境を測定するセンサを含む装置である。１つ以上のＡＥＣ１２２が、ディスプレイの壁１１４の動作中に環境パラメータを測定するためにディスプレイの壁１１４に極めて近接して配置される。
【００４８】
ＯＬＥＤディスプレイシステム１００のディスプレイの壁１１４はさまざまなレベルのハードウェアを含む。最高のハードウェアレベルは、複数のサブディスプレイ１１６から
形成されるディスプレイの壁１１４自体を含み、次に低いレベルは、複数のＯＬＥＤタイル１１８から形成されるＯＬＥＤサブディスプレイ１１６を含み、次に低いレベルは、ＯＬＥＤモジュール１２０の集まりから形成されるＯＬＥＤタイル１１８を含み、最低レベルは、個々のＯＬＥＤ装置または画素の集まりから形成されるＯＬＥＤモジュール１２０を含む。この発明に従った全体的な制御は、レベルにかかわらず類似のアルゴリズムを用いてディスプレイの壁１１４のさまざまなレベルのハードウェアの動作および較正に対処するよう設計される。ローカルな処理は各ＯＬＥＤタイル１１８のかなり低いレベルで有効であり、このため、この発明に従ったＯＬＥＤディスプレイシステム１００の全体的な制御は分散処理方法を用いることができる。ＯＬＥＤタイル１１８の物理的なハードウェア実現およびディスプレイの壁１１４のアーキテクチャにより、結果としてあまり複雑でないディスプレイのハードウェアおよびソフトウェアシステムを有する分散処理が提供され、これにより、中央処理装置、すなわちシステムコントローラ１１０による高帯域幅の計算の必要性をなくす。全体的な制御ソフトウェアは、図３、図４および図５に関連して説明される。
【００４９】
代替的な実施例においては、複数のＯＬＥＤディスプレイシステム１００は、たとえば従来のローカルエリアネットワーク（ＬＡＮ）、ワイドエリアネットワーク（ＷＡＮ）またはインターネットを介して中央処理装置にネットワーク接続され、この中央処理装置には、すべてのＯＬＥＤディスプレイシステム１００に対処するためのシステム制御ソフトウェアがロードされている。この場合、各ＯＬＥＤディスプレイシステム１００のシステムコントローラ１１０の機能は、単に、ＯＬＥＤディスプレイシステム１００のそれぞれのデジタイザ１１２にネットワーク接続を提供することである。
【００５０】
図３は、この発明に従ったＯＬＥＤディスプレイソフトウェアシステム２００を示す機能ブロック図である。ＯＬＥＤディスプレイソフトウェアシステム２００は、システムソフトウェア構成要素２１０、タイルソフトウェア構成要素２１２およびモジュールソフトウェア構成要素２１４を含む。
【００５１】
ＯＬＥＤディスプレイソフトウェアシステム２００は、ＯＬＥＤディスプレイシステム１００などのモジュール方式の大画面のＯＬＥＤディスプレイシステムのために全体的なソフトウェア制御を提供する。システムソフトウェア構成要素２１０は最高レベルのソフトウェア制御を表わし、タイルソフトウェア構成要素２１２は中間レベルのソフトウェア制御を表わし、モジュールソフトウェア構成要素２１４は低レベルのソフトウェア制御を表わす。動作の際に、すべてのレベル間で情報が伝えられ、それにしたがって、特定の動作がシステムソフトウェア構成要素２１０の制御下で分散される。より具体的には、図３を参照すると、
最高レベルのコントローラとして、システムソフトウェア構成要素２１０が以下のようなタスクを実行する。
【００５２】
１）  初期設定されると、ＯＬＥＤディスプレイシステム１００の構成を決定し、
２）  ＯＬＥＤタイル１１８の交換を検出し、
３）  ＯＬＥＤタイル１１８のための適応較正アルゴリズムを実行し、
４）  ＯＬＥＤタイル１１８の温度制御を管理し、
５）  システム診断プログラムを実行し、
６）  ＯＬＥＤタイル１１８のための適応機能アルゴリズムを実行する。
【００５３】
中間レベルのコントローラとして、タイルソフトウェア構成要素２１２が以下のようなタスクを実行する。
【００５４】
１）  ＯＬＥＤモジュール１２０のための適応較正アルゴリズムを実行し、
２）  ＯＬＥＤモジュール１２０の温度制御を管理し、
３）  ＯＬＥＤタイル１１８の通し番号および製造日などの工場での設定を設定しかつ記憶し、
４）  ＯＬＥＤモジュール１２０のためのプリチャージ制御アルゴリズムを実行する。
【００５５】
低レベルのコントローラとして、モジュールソフトウェア構成要素２１４が以下のようなタスクを実行する。
【００５６】
１）  個々のＯＬＥＤ装置のための適応較正アルゴリズムを実行し、
２）  オンの時間と温度との関数である実行時間を記憶し、
３）  個々のＯＬＥＤ装置のプリチャージ制御を維持し、
４）  個々のＯＬＥＤ装置のための光および色の値を記憶し、
５）  ＯＬＥＤモジュール１２０の通し番号および製造日などの工場での設定を設定しかつ記憶する。
【００５７】
概して、アルゴリズムおよび機能性は、ＯＬＥＤディスプレイソフトウェアシステム２００のすべてのレベルにおいて基本的には同じである。これらのアルゴリズムおよび機能はタイルソフトウェア構成要素２１２および／またはモジュールソフトウェア構成要素２１４によって実行されるが、決定または情報収集は、典型的には、１つのレベルから次のレベルに値を渡すことによって最高レベルのシステムソフトウェア構成要素２１０で実行される。こうして、ＯＬＥＤ装置のクラスタ、ＯＬＥＤモジュール１２０のクラスタおよびＯＬＥＤタイル１１８のクラスタが、ＯＬＥＤディスプレイソフトウェアシステム２００によって同じ方法で制御される。
【００５８】
たとえば、所与のＯＬＥＤモジュール１２０内のすべてのＯＬＥＤ装置にわたる均一な出力は適応較正によって保証されるが、これは、所与のＯＬＥＤタイル１１８内のすべてのＯＬＥＤモジュール１２０にわたる均一な出力が保証されることを意味するものではない。その後、ＯＬＥＤモジュール１２０がそれら自体の中で均一になると、すべてのＯＬＥＤモジュール１２０の出力がさらに、各ＯＬＥＤタイル１１８内でそれぞれの隣接する出力と均一にされなくてはならない。同様に、ＯＬＥＤタイル１１８がそれら自体の中で均一になると、すべてのＯＬＥＤタイル１１８の出力がさらに、ディスプレイの壁１１４の各ＯＬＥＤサブディスプレイ１１６内でそれぞれの隣接する出力と均一にされなければならない。たとえば適応較正アルゴリズムを用いると、以下のように、最低レベルから最高レベルまでのすべてのレベルで同じアルゴリズムが実行され得る。
【００５９】
１）  モジュールソフトウェア構成要素２１４の適応較正アルゴリズムが、各ＯＬＥＤモジュール１２０のためにＯＬＥＤ装置を読出しかつ較正する。ｘ、ｙ、Ｙの光出力および色座標がすべてのＯＬＥＤ装置のために読出される。その後、各ＯＬＥＤモジュール１２０が、最適な目標であるＯＬＥＤ装置のｘ、ｙ、Ｙの座標に較正される。次いで、値が、次に高いレベル、すなわちタイルソフトウェア構成要素２１２に渡される。
【００６０】
２）  タイルソフトウェア構成要素２１２の適応較正アルゴリズムが、各ＯＬＥＤタイル１１８のためにすべてのＯＬＥＤモジュール１２０を読出しかつ較正する。その後、各ＯＬＥＤタイル１１８が、最適な目標であるＯＬＥＤモジュール１２０のｘ、ｙ，Ｙの座標に較正される。次いで、値が、次に高いレベル、すなわちシステムソフトウェア構成要素２１０に渡される。
【００６１】
３）  システムソフトウェア構成要素２１０の適応較正アルゴリズムが、ディスプレイの壁１１４の各ＯＬＥＤサブディスプレイ１１６のためにすべてのＯＬＥＤタイル１１８を読出しかつ較正する。その後、各ＯＬＥＤサブディスプレイ１１６が、ディスプレイの
壁１１４の最適な目標であるＯＬＥＤサブディスプレイ１１６のｘ、ｙ、Ｙの座標に較正される。このようにして、ディスプレイの壁１１４の全体にわたって均一な画像が確実にされる。
【００６２】
上述の方法においては、放射装置の設定は、放射装置が第１のレベルの目標値の１０％以内、好ましくは５％以内、より好ましくは０．８％以内となるように放射装置を設定するステップを含み得る。さらに、第１のレベルのモジュールの設定は、第１のレベルのモジュールがその放射ディスプレイの放射ディスプレイ目標値の１０％以内、好ましくは５％以内、より好ましくは０．８％以内となるように、または第２のレベルの目標値の１０％以内、好ましくは５％以内、より好ましくは０．８％以内となるように、制御方法で用いられる制御レベルの数に応じて、第１のレベルのモジュールを設定するステップを含み得る。
【００６３】
同様にして、制御レベルの数に応じて、第２のレベルのタイルの設定は、第２のレベルのタイルが放射ディスプレイの放射ディスプレイ目標値の１０％以内、好ましくは５％以内、最も好ましくは０．８％以内となるように、または第３のレベルの目標値の１０％以内、好ましくは５％以内、最も好ましくは０．８％以内となるように第２のレベルのタイルを設定するステップを含み得る。
【００６４】
さらに別のレベルが存在する場合、さらに別のレベルの設定は、それらが放射ディスプレイの放射ディスプレイ目標値の１０％以内、より好ましくは５％以内、最も好ましくは０．８％以内となるようになされ得る。
【００６５】
上述の制限のすべてが目標値である場合、達し得る実際の目標値は、目標パラメータとして選択されるパラメータに依存し得、たとえば、パラメータ輝度について０．８％が達成され得る。これは、良好な目標レベルの値が０．８％よりも高い可能性がある他のパラメータに対して過酷な条件となるだろう。
【００６６】
ＯＬＥＤディスプレイソフトウェアシステム２００の局面は、それが環境を考慮に入れることである。たとえば、光センサおよび温度センサを用いることにより、ＯＬＥＤディスプレイソフトウェアシステム２００は、特定のディスプレイの壁１１４の特定の目的、すなわち応用例、たとえば内部投影または外部投影を確認することができる。この知識に基づき、画像の表示内容、すなわちガンマ、コントラスト、輝度および寿命が適合され得る。
【００６７】
より具体的には、ディスプレイの欠陥は、ＯＬＥＤディスプレイソフトウェアシステム２００の特徴として処理され得る。たとえば、特定のＯＬＥＤ技術の寿命が１０，０００時間に制限されることが既知であり、スプレッドシートなどの全体が白色のディスプレイ画像が所望される場合、光出力はコントラストほど重要ではない。したがって、光出力がわずか２０％の輝度にまで下げられ得るが、ガンマ曲線を適合させることによりコントラストが高められ、これにより、この応用例に好適な画像が提供され得る。この場合、ＯＬＥＤの寿命は、輝度を調整しないＯＬＥＤの寿命の約５倍である。輝度を調整する際に寿命の最適化がなされる。
【００６８】
映像の応用例、たとえばスプレッドシート、動画などの性質が各ＯＬＥＤタイル１１８のために検出され得る。というのも、各ＯＬＥＤタイル１１８が完全な映像データストリームを受取るからである。各ＯＬＥＤタイル１１８は、映像データストリームのちょうどそのＯＬＥＤタイル１１８の部分を用いて、そのオンの時間を計算しかつ追跡する。たとえば、スプレッドシートなどの全体が白色のディスプレイの応用例については、平均的な表示内容は典型的には４０％を超えるが、映像については、平均的な表示内容は典型的に
は４０％未満である。各ＯＬＥＤタイル１１８はそれが示しているデータを追跡し、こうして、システムソフトウェア構成要素２１０は、表示される内容の割合に関する情報を各ＯＬＥＤタイル１１８に要求することができ、すべてのＯＬＥＤタイル１１８についての情報に基づいて、内容がデータであるかまたは映像であるかを推定することができ、さらに、それに従ってその設定を適合させるよう各ＯＬＥＤタイル１１８にコマンドを発行することができる。
【００６９】
さらに別の例として、極めて暗い環境で用いられるホームシアター用の応用例の場合、人の目は、色の印象について異なる感覚を有する。したがって、彩度色点が動かされてもよい。同様に、昼光で用いられる動画の応用例の場合、目は微光に対してあまり感度が高くない。したがって、その微光の色は必ずしも正確である必要はなく、微光の領域において、正確な色の代わりに、たとえば３色しか用いないグレイスケールの精度を用いることが可能となる。
【００７０】
各ＡＥＣ１２２は、その関連性に応じて或る割合の重みが割当てられ得るが、たとえば、光点に隣接して位置決めされ、光の変動に著しく影響を及ぼされるＡＥＣ１２２が、それに従って重み付けされる。また、特定のＡＥＣ１２２の別個の各センサ、たとえば温度、光、湿度のためのセンサに或る割合の重みが割当てられてもよい。動作の際に、加重平均がすべての測定値から計算され、ソフトウェアが或る反応勾配に従って応答する。この反応勾配により、応答時間が決定されて、光伝送におけるピークがフィルタにかけて取除かれる。
【００７１】
最高レベルすなわちシステムソフトウェア構成要素２１０から、中間レベルすなわちタイルソフトウェア構成要素２１２、さらに低レベルすなわちモジュールソフトウェア構成要素２１４まで、それぞれ、ＯＬＥＤディスプレイソフトウェアシステム２００が以下のようににさらに説明される。
【００７２】
システムソフトウェア構成要素２１０は概して、初期設定されるとディスプレイの壁１１４の構成を決定し、ＯＬＥＤタイル１１８の交換を検出し、ＯＬＥＤタイル１１８の適応較正、診断プログラムおよび温度制御を実行し、適応機能アルゴリズムを実行することを担う。これらの機能的な能力のさらに詳細な説明は以下のとおりである。
【００７３】
デイジーチェーンの信号および電力の分配が用いられる場合について説明されるディスプレイの壁１１４の構成：システムソフトウェア構成要素２１０の制御下で、ディスプレイの壁１１４の照会が単純な電子スイッチシステムによって実行される。システムが初期設定されると、すべてのスイッチが開かれる。第１のＯＬＥＤタイル１１８が検出され、ＯＬＥＤタイル１１８♯１としてアドレス指定される。ＯＬＥＤタイル１１８♯１がアドレス指定されると、そのスイッチが自動的に閉じて、次のＯＬＥＤタイル１１８へのデイジーチェーンにおけるリンクを閉じる。ここで、第２のＯＬＥＤタイル１１８が検出され、ＯＬＥＤタイル１１８♯２としてアドレス指定され、そのスイッチが閉じて、次のＯＬＥＤタイル１１８へのデイジーチェーンを完了する。これは、すべてのＯＬＥＤタイル１１８が検出され、アドレス指定されるまで続けられる。たとえばシステム構成、診断プログラム情報およびハードウェアバージョンといった、実行時に必要とされる情報はいずれも検出プロセス中に抽出される。照会される他のパラメータは、たとえば、解像度、実行時間、ＩＤまたは通し番号、温度および電源電圧などの診断プログラム、各ＯＬＥＤタイル１１８のソフトウェアバージョン、用いられる工場測定システム、ならびに製造日である。この発明の実施例に従ったＯＬＥＤディスプレイソフトウェアシステム２００により、異なる世代のハードウェアを一緒に作動させる柔軟性が可能となる。ＯＬＥＤタイル１１８上のソフトウェアのアップグレードまたはダウングレードは、各ＯＬＥＤタイル１１８が同じソフトウェアＩＤを有することを確実にするのに必要とされる可能性がある。た
とえば、互換性のために、ある世代（ｘ＋１）のＯＬＥＤタイル１１８は、より古い世代（ｘ）のＯＬＥＤタイル１１８として作動する必要があるかもしれない。
【００７４】
ＯＬＥＤタイル１１８の交換：各ＯＬＥＤタイル１１８は関連する通し番号を有する。各ＯＬＥＤタイル１１８の通し番号を読出すことにより、システムソフトウェア構成要素２１０は、各ＯＬＥＤタイル１１８を固有に検出しかつ識別する。一実施例に従って、システムソフトウェア構成要素２１０は連続したポーリングを、つまり２、３秒ごとに実行して、ＯＬＥＤタイル１１８の交換を検出する。代替的には、中断が、ＯＬＥＤタイル１１８を交換する動作によって生じ得る。システムソフトウェア構成要素２１０はまた、どのＯＬＥＤタイル１１８が動作可能であるか、またはどれがプロセスにおいて動作中に交換されているもの、すなわちホットスワップされているものであり得るかを検出し得る。システムソフトウェア構成要素２１０は、どのＯＬＥＤタイル１１８がスワップされるかを検出する。システムソフトウェア構成要素２１０は、交換されているＯＬＥＤタイル１１８の解像度、内容、光出力および補償レベルを読出して記憶することができる。結果として、ＯＬＥＤタイル１１８の交換が、ソフトウェアの階層化によって数秒以内に更新される。
【００７５】
ＯＬＥＤタイル１１８の適応較正アルゴリズム：ディスプレイの壁１１４が工場から出荷される前に実行される「初期の較正」と、期間Ｔごとに実行される「周期的な較正」との間の違いは以下のとおりである。
【００７６】
初期の較正：各ＯＬＥＤ画素の輝度Ｙおよび色座標ｘ、ｙが測定される。目標の輝度および色座標を考慮に入れて、モジュールにおけるすべてまたは実質的にすべての画素で実現可能な最適の結果であり、すなわち目標に最も近いｏｐｔ（ｘ、ｙ、Ｙ）が決定される。同じ手順が、ディスプレイの壁１１４の各ＯＬＥＤサブディスプレイ１１６内の各ＯＬＥＤタイル１１８内における各ＯＬＥＤモジュール１２０のために繰返される。
【００７７】
この初期の較正が必要とされるのは、各ＯＬＥＤ画素が、製造プロセスにおける変動、ドライバ特性、電源および／または温度の問題などのために色座標および輝度に関して異なり得るからである。この初期の較正なしでは、ＯＬＥＤサブディスプレイ１１６にわたって原色のうち１つを表示する場合、または原色から得られるいずれかの色を表示する場合に不均一な画像が存在することとなるだろう。
【００７８】
周期的な較正：各期間Ｔの後に周期的な較正が実行される。この周期的な較正は、計算されたオンの時間とそのオンの時間中の電流および温度とに基づいているか、または、オンの時間とそのオンの時間中のＯＬＥＤにわたる電圧の変化と温度とに基づいて、各ＯＬＥＤ画素の経年変化が決定される。デジタル・アナログ補正が実行されて、ＯＬＥＤモジュール１２０内の別々のＯＬＥＤ画素の経年変化の差が補償される。
【００７９】
この周期的な較正は、画素によって異なるであろう経年変化を補償するのに必要である。というのも、オンの時間とオンの時間中の電流とが各画素ごとに異なるからである。周期的な較正なしでは、色および輝度の不均一性が、最初に較正されたＯＬＥＤモジュール１２０の寿命の間に発生するだろう。
【００８０】
ＯＬＥＤタイル１１８の温度制御：各ＯＬＥＤタイル１１８の温度は、各ＯＬＥＤタイル１１８における内部温度センサによって監視される。加えて、全体的なディスプレイの壁１１４の環境温度は、組合されたＡＥＣ１２２によって既知である。たとえば、ディスプレイの壁１１４のうちの１つの特定の区域が、自然な変換のために、または、たとえばその区域の上を照らす日光のために起こり得ることであるが、ディスプレイの壁１１４の残りの部分よりも高温で実行しているかどうかを判断することが望ましい。このような場
合、ディスプレイの壁１１４のその区域の光出力を調整する等の何らかの動作が必要とされる可能性がある。
【００８１】
診断プログラム：さまざまなシステムの健康状態がシステムソフトウェア構成要素２１０によって定期的に監視される。たとえば、システムソフトウェア構成要素２１０は、各ＯＬＥＤタイル１１８内の各ＯＬＥＤ電圧の可用性と、冷却ファンが故障しているかまたは作動しているかどうかを判断するために各ＯＬＥＤタイル１１８の内部の熱と、各ＯＬＥＤタイル１１８内のローカルなプロセッサまたはローカルなメモリの動作と、ＲＳ２３２コネクタまたは他の通信プロトコルコネクタによって制御されるいずれかの装置の動作とを監視する。診断プログラムの情報は常に利用可能である。というのも、ＯＬＥＤタイル１１８は、タイルソフトウェア構成要素２１２の制御下で診断プログラムを随時実行し、診断プログラムのパラメータを更新し、これらを局所的に記憶しているからである。次いで、パラメータがシステムソフトウェア構成要素２１０によっていつでも読出されて、いずれかの動作が必要とされるかどうかが決定され得る。システムソフトウェア構成要素２１０は、たとえエラー状態が存在していても作動するディスプレイの壁１１４のすべてのＯＬＥＤタイル１１８を保持しようと試み、ディスプレイの壁１１４は必要な場合にのみ遮断され、これによって、或るレベルの「誤り」許容差を達成する。たとえば、所与のＯＬＥＤタイル１１８を有する故障したローカルなプロセッサは、ディスプレイ画像が失われたことを意味するのではなく、単に、欠陥のあるＯＬＥＤタイル１１８がシステムソフトウェア構成要素２１０からのさらに別のコマンドに応答しないか、または或るアルゴリズムがもはや実行しないことを意味するだけである。欠陥のあるＯＬＥＤタイル１１８がその現在の状態で実行し続けることは十分に可能である。
【００８２】
ＯＬＥＤタイル１１８の適応機能アルゴリズム：
ＡＥＣ１２２によって測定される環境条件に基づき、システムソフトウェア構成要素２１０は初期の応用例を決定し、表示輝度および／もしくはガンマ曲線を調整してより良好なコントラストを達成し、ならびに／またはファンの速度を調整したりする。システムソフトウェア構成要素２１０はまた、データストリームの内容を決定する。内容の種類に基づいて、輝度またはコントラストを適合させることにより、映像／データ性能が達成されて、ＯＬＥＤタイル１１８の寿命を伸ばすことができる。
【００８３】
前述のように、タイルソフトウェア構成要素２１２は概して、システムソフトウェア構成要素２１０に関して上述されるＯＬＥＤモジュール１２０のための適応較正アルゴリズムおよび温度制御を実行し、ＯＬＥＤタイル１１８の通し番号および製造日などの工場での設定を設定しかつ記憶するか、または所与のＯＬＥＤタイル１１８が表示すべきウインドウを設定しかつ記憶することを担う。さらに、プリチャージの動作がＯＬＥＤ装置にわたる標準の作動電圧とＯＬＥＤ装置のキャパシタンスとに依存するので、ＯＬＥＤタイルの寿命中にプリチャージ時間を適合させる必要がある。プリチャージは電源ドライバにおいてなされ、電源チップのプリチャージ時間レジスタに値を書込むことによって調整され得る。タイルソフトウェア構成要素２１２によってこのレジスタがロードされる。
【００８４】
上述のように、モジュールソフトウェア構成要素２１４は概して、システムソフトウェア構成要素２１０に関して上述される個々のＯＬＥＤ装置に対する適応較正アルゴリズムを実行し、実行時間、すなわちオンの時間と温度との関数を記憶し、個々のＯＬＥＤ装置のプリチャージ制御を維持し、個々のＯＬＥＤ装置のための光および色の値を記憶し、ＯＬＥＤモジュール１２０についての通し番号および製造日などの工場での設定を設定しかつ記憶することを担う。
【００８５】
要約すれば、この発明のＯＬＥＤディスプレイソフトウェアシステム２００は、ＯＬＥＤディスプレイシステム１００を初期設定しかつ構成する動作を実行し、これは、ＯＬＥ
Ｄタイル１１８をアドレス指定することと、ＯＬＥＤタイル１１８を構成することと、均一な画像および適切な画像サイズとなるようＯＬＥＤタイル１１８を制御することとを含む。さらに、この発明のＯＬＥＤディスプレイソフトウェアシステム２００は付加的な特徴に対処する。この付加的な特徴とは、ディスプレイの壁１１４全体をシャットダウンするかまたはリセットして再較正する必要なしに欠陥のあるＯＬＥＤタイル１１８を交換するホットスワップ能力と、同じ画像を速やかに生成するために自動的に再度構成されるように新しいＯＬＥＤタイル１１８を検出し、この新しいＯＬＥＤタイル１１８を自動的にアドレス指定する機構と、ガンマ曲線、色点、および輝度の調整などの映像特徴と、高い放送能力と、映像／データ性能を獲得しかつＯＬＥＤの寿命を最大限にするために既知のデータストリームに基づいて映像内容を決定して、その映像内容に基づいて光出力を増減させる能力とを含む。最後に、この発明のＯＬＥＤディスプレイソフトウェアシステム２００は映像の欠陥を特徴に変えることができ、すなわち、特定の欠陥を隠しつつ、欠陥を補償してディスプレイ画像を向上させることができる。このような補償の例は、寿命を予測して最適化し、その環境で適切に実行するために光出力および温度を測定してディスプレイの壁１１４をセットアップし、環境の関数としてガンマ曲線、色点および輝度を調整することを含む。
【００８６】
加えて、ディスプレイソフトウェアシステム２００はデジタイザ１１２を制御し、これにより、いくつかの映像／ＲＧＢ入力源の、ユーザによって規定される混合／重ね合わせ／切換を達成する。
【００８７】
図４は、この発明の実施例に従ったＯＬＥＤディスプレイソフトウェアシステム２００を用いて、タイル状に配置されたＯＬＥＤディスプレイを作動させる方法３００を示すフロー図である。方法３００は、ある一例のディスプレイシステムとして図１のＯＬＥＤディスプレイシステム１００を用いる。さらに、方法３００のステップ全体にわたり、グラフィカル・ユーザ・インターフェイス（ＧＵＩ）がユーザインターフェイスを支援する入出力装置として参照される。しかしながら、当業者であれば、他の周知のインターフェイス方法、たとえばコマンドラインインターフェイス、タッチスクリーンインターフェイス、音声作動式のインターフェイス、またはメニュー形式のインターフェイスなどが用いられ得ることを理解するだろう。この発明の実施例に従った方法３００は以下に詳述されるステップを含む。これらのステップすべてがこの発明に必要とされるわけではなく、これらのうちいくつかはオプションであることに留意されたい。
【００８８】
ステップ３１０：システムへのログイン
このステップでは、システムコントローラ１１０を用いて、ユーザが、ＧＵＩを介してユーザＩＤおよびパスワードを入力することによってＯＬＥＤディスプレイシステム１００のＯＬＥＤディスプレイソフトウェアシステム２００にログインする。次に、ＯＬＥＤディスプレイソフトウェアシステム２００がその入力を確認し、これにより有効なユーザアクセスを許可する。方法３００はステップ３１２に進む。
【００８９】
ステップ３１２：構成が検出されたか？
この判定ステップでは、ＯＬＥＤディスプレイソフトウェアシステム２００はディスプレイの壁１１４の構成マネージャに問合せをして、ディスプレイの壁１１４に関連付けられる構成が存在するかどうかを判定する。イエスである場合、方法３００はステップ３３２に進み、ノーである場合、方法３００はステップ３１４に進む。
【００９０】
ステップ３１４：自動検出ユーザインターフェイスの開放
ディスプレイの壁１１４に関連付けられる構成が存在しない場合、このステップでは、ＯＬＥＤディスプレイソフトウェアシステム２００が、「自動検出」ＧＵＩをユーザに示すことにより自動検出プロセスを開始する。方法３００はステップ３１６に進む。
【００９１】
ステップ３１６：通信のセットアップ
このステップでは、「自動検出」ＧＵＩを用いて、ユーザが通信セットアップ動作を開始する。さらに、ユーザは、システムコントローラ１１０とデジタイザ１１２との間の通信リンクのパラメータ値を調整するプロセスを開始する。たとえば、通信ポートセットアップ動作は、シリアルポート番号、ボーレートおよびオンライン・オフライン状態の選択を含み、これは、ソフトウェアコマンドがＯＬＥＤディスプレイソフトウェアシステム２００によって通信されているシステムに影響を及ぼすかどうかを示す。オンラインの場合、すべてのコマンドが送られて実行されるが、オフラインの場合、すべてのコマンドがシステム装置に送られるわけではない。方法３００はステップ３１８に進む。
【００９２】
ステップ３１８：更新の記録
このステップでは、ＯＬＥＤディスプレイソフトウェアシステム２００が、ステップ３１０中にシステムコントローラ１１０内で加えられたいずれの変更をも記録および記憶する。方法３００はステップ３２０に進む。
【００９３】
ステップ３２０：自動選択動作の開始
このステップでは、「自動検出」ＧＵＩを用いて、ユーザが「自動選択の開始」動作を始める。方法３００はステップ３２２に進む。
【００９４】
ステップ３２２：装置の検出およびアドレス指定
このステップでは、ＯＬＥＤディスプレイソフトウェアシステム２００が、取付けられたすべての装置、すなわち、デジタイザ１１２、ディスプレイの壁１１４、ＯＬＥＤサブディスプレイ１１６、ＯＬＥＤタイル１１８およびＡＥＣ１２２の存在についてＯＬＥＤディスプレイシステム１００に問合せをする。次に、すべての装置は、それらがデータリンク内で検出される順にアドレス指定される。より具体的には、システムコントローラ１１０は、たとえば、スイッチを系統立てて開閉することによりさまざまな装置の存在を検出して、ＯＬＥＤディスプレイシステム１００内の各装置の存在および位置を検出する。その後、システムコントローラ１１０は、内容および通信データを各装置に向けるのに用いるための固有のアドレスを各装置に割当てる。方法３００はステップ３２４に進む。
【００９５】
ステップ３２４：タイルパラメータのダウンロードおよび表示
このステップでは、検出された装置のすべてのパラメータ、たとえば接続された装置の種類、実行時間、ソフトウェアバージョンおよび通し番号などがシステムコントローラ１１０にダウンロードされる。たとえば装置の種類、ソフトウェアバージョンおよび通し番号などの状態情報が、ダウンロードのプロセス中にＧＵＩを介してユーザに表示される。検出された装置のアイコンは、ＯＬＥＤディスプレイシステム１００の概要を表示するＧＵＩを介してユーザに見えるようにされる。方法３００はステップ３２６に進む。
【００９６】
ステップ３２６：検出が完了しているか？
この判定ステップでは、ＯＬＥＤディスプレイソフトウェアシステム２００は、検出された装置の数が予想される装置の数と一致するかどうかを判定することによって、すなわち、ユーザがＧＵＩ上の検出された装置の情報を得たり、欠落しているものがないかどうかを知ることによって、さらに、ソフトウェアが接続された全装置のパラメータをすべてダウンロードすることができないかどうかを判断することによって、装置検出プロセスが無事に完了したかどうかを判定する。そうでない場合、検出を無事に完了することができない。イエスである場合、方法３００はステップ３３４に進み、ノーである場合、方法３００はステップ３２０に戻る。
【００９７】
ステップ３３２：構成が完了しているか？
この判定ステップでは、ＯＬＥＤディスプレイソフトウェアシステム２００は、ディスプレイの壁１１４の構成が完了しているかどうかを判定する。構成が既知であり、壁の位置決めが既に始められている場合、構成は完了していると見なされる。こうして、ＯＬＥＤディスプレイソフトウェアシステム２００は、壁の位置決めが既知であるか否かを簡単にチェックする。イエスである場合、方法３００はステップ３７４に進み、ノーである場合、方法３００はステップ３３４に進む。
【００９８】
ステップ３３４：壁の位置決め動作の開始
このステップはまた、ディスプレイの壁１１４に関連付けられる構成が以前には存在しておらず、その間に検出された場合に実行される。このステップでは、システムコントローラ１１０上に表示されるＧＵＩを用いて、ユーザが、全体的な映像出力フィールドにおけるディスプレイの壁１１４を位置決めするための「壁の位置決め」プロセスを開始する。次に、ＯＬＥＤディスプレイソフトウェアシステム２００が、「壁の位置決め」ＧＵＩをユーザに示すことによってディスプレイの壁１１４のための壁の位置決めプロセスを開始する。方法３００はステップ３３６に進む。
【００９９】
ステップ３３６：壁の位置決めパラメータの入力
このステップでは、「壁の位置決め」ＧＵＩを用いて、ユーザが、ディスプレイの壁１１４の左上隅の画素座標、ＯＬＥＤタイル１１８の解像度、連結方向などを入力する。次に、ＯＬＥＤディスプレイソフトウェアシステム２００が、ウインドウパラメータ、すなわちシステムコントローラ１１０内における各ＯＬＥＤタイル１１８の水平かつ垂直な開始および停止の画素座標を記録しかつ記憶する。方法３００はステップ３３８に進む。
【０１００】
ステップ３３８：システム構成を開始するか？
この判定ステップでは、ユーザは、ユーザ自身がシステム構成プロセスを開始することを希望するかどうかを判定する。イエスである場合、方法３００はステップ３４０に進み、ノーである場合、方法３００はステップ３６２に進む。
【０１０１】
ステップ３４０：システム構成の開始
このステップでは、システムコントローラ上に表示されるＧＵＩを用いて、ユーザが、ディスプレイの壁１１４のすべてのＯＬＥＤサブディスプレイ１１６とＯＬＥＤタイル１１８とを構成するためのシステム構成プロセスを開始する。次に、ＯＬＥＤディスプレイソフトウェアシステム２００は、「システム構成」ＧＵＩをユーザに示すことによってディスプレイの壁１１４のためのシステム構成プロセスを開始する。方法３００はステップ３４２に進む。
【０１０２】
ステップ３４２：接続された源の表示
このステップでは、ＯＬＥＤディスプレイソフトウェアシステム２００が、「ウインドウ機能」ＧＵＩをユーザに示すことによりデジタイザ１１２におけるウインドウ機能プロセスを開始し、それにより、デジタイザ１１２を介して接続されるすべての映像源がディスプレイの壁１１４に関連してユーザに見えるように表示される。方法３００はステップ３４４に進む。
【０１０３】
ステップ３４４：システムを全体的に構成するか？
この判定ステップでは、ユーザは、ユーザ自身がＯＬＥＤディスプレイシステム１００全体を構成することを希望するかどうかを判定する。イエスである場合、方法３００はステップ３５０に進み、ノーである場合、方法３００はステップ３４６に進む。
【０１０４】
ステップ３４６：構成されるべき装置の選択
このステップでは、システムコントローラ１１０上に表示されるＧＵＩを用いて、ユー
ザが、デジタイザ１１２、ディスプレイの壁１１４、ディスプレイの壁１１４を遠く離れたデジタイザ１１２に接続するための、ディスプレイの壁１１４とデジタイザ１１２との間の接続、たとえばファイバリンク、すなわちファイバインターフェイス、または構成されるべきＡＥＣ１２２を選択する。デジタイザ１１２が選択される場合、ユーザは、デジタイザ１１２に関する動作、たとえば、デジタイザの設定の調整、同期発生器のタイミングの調整、入力スロットの選択などの動作を開始する。ディスプレイの壁１１４が選択される場合、ユーザはディスプレイの壁１１４に関する動作、たとえば、種類の調整、測定システムの調整、コントラストの調整、ちらつきの調整、モードの調整、解像度モードの調整、ガンマの調整、壁の位置決めの調整、ＯＬＥＤタイル１１８の調整などの動作を開始する。接続、たとえばファイバリンクが選択される場合、ユーザは、接続に関する動作、たとえば送信機および受信機の状態、種類、動きの調整、復元フィルタの設定の調整などの動作を開始する。ＡＥＣ１２２が選択される場合、ユーザは、所与のＡＥＣ１２２に関する動作、たとえば、センサの重み、較正値および状態等の設定を調整するなどの動作を開始する。選択された装置が構成された後、方法３００はステップ３４０に進む。
【０１０５】
ステップ３５０：新しい構成を作成するか？
この判定ステップでは、ユーザは、ユーザ自身がＯＬＥＤディスプレイシステム１００のために新しい構成を作成することを希望するかどうかを判定する。イエスである場合、方法３００はステップ３５２に進み、ノーである場合、方法３００はステップ３７２に進む。
【０１０６】
ステップ３５２：ウインドウの変更
このステップでは、「ウインドウ機能」ＧＵＩを用いて、ユーザが、画像が表示される位置、すなわちウインドウに関連して、接続された映像源に関するいずれかの所望の変更を加える。たとえば、ユーザは、以下の動作のうち１つ以上を選択し得る。以下の動作とはすなわち、ウインドウの移動、ウインドウの拡大縮小、ウインドウのＺオーダまたは階層化方式の相対的な調整、アスペクト比の調整、入力の選択、特別な源に特有の動作、たとえば可視性、色キー、アルファブレンディングなどの選択、または画像表示域の選択の変更である。表示域は、ＸおよびＹ座標、その関連する水平距離Ｗならびに垂直距離Ｈを有する入力画像の上における位置を表わす点を指し、このため、表示域は、その入力に特有の表示域または切取られた画像を規定する。表示域は、Ｘ、Ｙ、Ｗ、Ｈの値を変更することにより変更可能である。方法３００はステップ３５４に進む。
【０１０７】
ステップ３５４：作業空間の解像度の調整
このステップでは、システムコントローラ１１０上に表示されるＧＵＩを用いて、ユーザが作業区域の解像度のサイズを調整する。ユーザは、ウインドウおよびディスプレイのボックスをズームインまたはズームアウトすることにより作業空間の解像度のサイズを調整し得る。幅および高さのアスペクト比はこれらの調整に従って同時に変化し、たとえば、８００×６００の解像度は作業空間の区域では５２０×３９０に変換され得る。方法３００はステップ３５６に進む。
【０１０８】
ステップ３５６：壁の位置決めの調整
この判定ステップでは、システムコントローラ１１０上に表示される「壁の位置決め」ＧＵＩを用いて、ユーザがディスプレイの壁１１４の壁の位置決めを調整する。作業区域におけるディスプレイの水平な開始位置および垂直な開始位置を調整することが可能である。すべてのディスプレイタイルの水平かつ垂直な解像度を調整することも可能である。タイルの表示可能な最大解像度からその上限未満の値にまで変更を加えることが可能である。これは、小さなソース画像で極めて大きな壁を埋めようと試みる場合には極めて有用である。というのも、タイルごとの解像度を下げることによって画像が拡大されるからである。方法３００はステップ３５８に進む。
【０１０９】
ステップ３５８：壁の設定の調整
このステップでは、システムコントローラ１１０上に表示される「壁の設定」ＧＵＩを用いて、ユーザが、ディスプレイの壁１１４の設定、たとえばコントラスト、ちらつきおよびガンマを調整する。方法３００はステップ３６０に進む。
【０１１０】
ステップ３６０：構成の調整および保存
このステップでは、システムコントローラ１１０上に表示されるＧＵＩを用いて、ユーザがディスプレイの壁１１４に対する構成の管理動作を開始する。ユーザは、ＯＬＥＤディスプレイシステム１００の設定をすべて含む構成ファイルにディスプレイの壁１１４のセットアップを保存し得る。ユーザは、要求されるだけの構成を保存し得るかまたは呼出し得る。構成をディスプレイの壁１１４にダウンロードすることにより、位置決め、ちらつきおよびコントラストなどのすべての設定が直ちに更新される。方法３００はステップ３５０に戻る。
【０１１１】
ステップ３６２：メンテナンス動作？
この判定ステップでは、ユーザは、ユーザ自身がＯＬＥＤディスプレイシステム１００上でメンテナンス動作を開始することを希望するかどうかを判定する。イエスである場合、方法３００はステップ３６４に進み、ノーである場合、方法３００はステップ３７４に進む。
【０１１２】
ステップ３６４：メンテナンス動作の選択
このステップでは、システムコントローラ１１０上に表示されるＧＵＩを用いて、ユーザが、ＯＬＥＤディスプレイシステム１００のためにメンテナンス動作、たとえば、接続されたすべての装置に対するソフトウェア／ファームウェア更新または色較正調整などを開始する。次に、ＯＬＥＤディスプレイソフトウェアシステム２００は、「メンテナンス」ＧＵＩをユーザに示すことによりＯＬＥＤディスプレイシステム１００のためのメンテナンス動作を開始する。方法３００はステップ３６６に進む。
【０１１３】
ステップ３６６：較正を実行するか？
この判定ステップでは、ユーザは、ユーザ自身がＯＬＥＤディスプレイシステム１００上で較正動作を開始することを希望するかどうかを判定する。イエスである場合、方法３００はステップ３６８に進み、ノーである場合、方法３００はステップ３７０に進む。
【０１１４】
ステップ３６８：色較正の実行
このステップでは、システムコントローラ１１０上に表示される「メンテナンス」ＧＵＩを用いて、ユーザが色温度を規定し、較正されるべきＯＬＥＤタイル１１８の範囲を選択する。ディスプレイの壁１１４全体を較正するかまたはＯＬＥＤタイル１１８の範囲のみを較正することが可能である。たとえば、４〜７の範囲のアドレスを有するＯＬＥＤタイル１１８だけを較正する。次に、ユーザがディスプレイの壁１１４上で色較正動作を開始し、ＯＬＥＤディスプレイソフトウェアシステム２００がディスプレイの壁１１４の選択されたＯＬＥＤタイル１１８上で色較正動作を実行する。色較正が、すべての色の測定値、すなわち工場で測られ各ＯＬＥＤタイル１１８に記憶された測定値、およびすべてのＯＬＥＤタイル１１８の経年変化要因を読出し、これらを用いて補正値を計算し、これらの補正値がＯＬＥＤタイル１１８に送られ、結果として均一な画像がもたらされる。方法３００が終了する。
【０１１５】
ステップ３７０：装置ソフトウェア更新の実行
このステップでは、システムコントローラ１１０上に表示されるＧＵＩを用いて、ユーザがＯＬＥＤディスプレイシステム１００のための装置ソフトウェア更新動作を開始し、
さらに、更新されるべき特定の装置を選択する。その後、ＯＬＥＤディスプレイソフトウェアシステム２００は、「更新ソフトウェア」ＧＵＩをユーザに示すことによって、ＯＬＥＤディスプレイシステム１００のための装置ソフトウェア更新動作を開始する。次に、ユーザは更新ファイルを選択し、ＯＬＥＤディスプレイソフトウェアシステム２００が装置ソフトウェア更新動作を実行する。このステップでは、接続されたすべての装置のソフトウェア／ファームウェアを更新することが可能である。システムコントローラ１１０上に表示されるＧＵＩを用いて、ユーザは、ソフトウェアが更新されるべき装置のアイコンを選択し、適切なディレクトリに更新ファイルを配置する。方法３００が終了する。
【０１１６】
ステップ３７２：構成の削除またはロード
このステップでは、システムコントローラ１１０上に表示される「構成マネージャ」ＧＵＩを用いて、ユーザがＯＬＥＤディスプレイシステム１００に関する構成を削除またはロードする。ステップ３６０では、規定された構成が保存された。同様にして、前のディスプレイの構成中に構成を保存してしまうことが可能である。これらのより古い構成はここでロードされ得るかまたは削除されてもよい。方法３００はステップ３７４に進む。
【０１１７】
ステップ３７４：動作の監視へ進む
このステップでは、システムコントローラ１１０上に表示されるＧＵＩを用いて、ユーザがＯＬＥＤディスプレイシステム１００のためのシステム監視動作を開始する。次に、ＯＬＥＤディスプレイソフトウェアシステム２００は、「監視」ＧＵＩをユーザに示すことによりＯＬＥＤディスプレイシステム１００のためのシステム監視動作を開始する。図５の方法４００を参照するとシステム監視動作の完全な詳細が見出されるが、このシステム監視動作の概要は以下のとおりである。
【０１１８】
システムコントローラ１１０上に表示される「監視」ＧＵＩを用いて、ユーザがＡＥＣ１２２のための設定を視認する。ユーザは以下のタスクを実行し得る。すなわち、
さまざまな設定、たとえば、最低／最高のコントラスト、周囲温度範囲、周囲照明範囲、反応勾配および間隔を調整し、
ＡＥＣ１２２のための設定、たとえば、各ＡＥＣ１２２の重みおよび状態を調整し、
ＯＬＥＤディスプレイシステム１００のための応用例、たとえばホームシアター、制御室および事象を調整するか、または、
システム監視動作を開始もしくは停止する。
【０１１９】
ＯＬＥＤディスプレイシステム１００のＯＬＥＤディスプレイソフトウェアシステム２００は、周期的に、すなわちその周期は特定の間隔によって決定されるものであるが、ディスプレイの壁１１４に関する温度、内容、周囲照明、経年変化および相対湿度を読出す。ＯＬＥＤディスプレイソフトウェアシステム２００は、パラメータ値に応じて調整を実行する。方法３００が終了する。
【０１２０】
図５は、この発明の実施例に従ったＯＬＥＤディスプレイソフトウェアシステム２００を用いて、タイル状に配置されたＯＬＥＤディスプレイを監視する方法４００を示すフロー図である。方法４００は、一例のディスプレイシステムとして図１のＯＬＥＤディスプレイシステム１００を用いる。概して、ＯＬＥＤディスプレイシステム１００のソフトウェア制御システムは、ディスプレイの壁１１４に関する温度、内容、周囲照明、経年変化および相対湿度を周期的に読出し、方法４００に従ったパラメータ値に応じて調整を実行する。
【０１２１】
さらに、方法４００のステップ全般を通じて、ＧＵＩは、ユーザインターフェイスを容易にする入出力装置として参照されるが、当業者であれば、他の周知のインターフェイス方法、たとえばコマンドラインインターフェイス、タッチスクリーンインターフェイス、
音声作動式のインターフェイスまたはメニュー形式のインターフェイスなどが用いられ得ることを理解するだろう。方法４００は以下のステップを含む。
【０１２２】
ステップ４１０：監視動作の開始
このステップでは、システムコントローラ１１０上に表示されるＧＵＩを用いて、ユーザがＯＬＥＤディスプレイシステム１００のためのシステム監視動作を開始する。次に、ＯＬＥＤディスプレイソフトウェアシステム２００は、ＯＬＥＤディスプレイシステム１００を監視するために期間Ｔを規定するユーザに「監視」ＧＵＩを示すことにより、システム監視動作を開始する。方法４００はステップ４１２に進む。
【０１２３】
ステップ４１２：時間＝ｎ＊Ｔであるか？
この判定ステップでは、ＯＬＥＤディスプレイソフトウェアシステム２００は、最後のシステム監視動作が実行されてから予め定められた期間ｎ＊Ｔが経過したかどうかを判定する。ここで、ｎは整数であり、ｎ＝１、２、３であり、Ｔは予め規定された期間である。監視動作は、期間Ｔが経過するたびに実行されるだろう。イエスである場合、方法４００はステップ４１６に進み、ノーである場合、方法４００はステップ４１４に進む。
【０１２４】
ステップ４１４：期間の指標付け
このステップでは、ＯＬＥＤディスプレイソフトウェアシステム２００は、たとえば５分ごとに期間を指標付けする。方法４００はステップ４１２に戻る。
【０１２５】
ステップ４１６：経年変化に関するパラメータの読出
このステップでは、ＯＬＥＤディスプレイソフトウェアシステム２００は、オンの時間、オンの時間中の電流、ＯＬＥＤにわたる電圧、温度、色温度などの経年変化に関するパラメータを各ＯＬＥＤタイル１１８のローカルな記憶装置から読出す。方法４００はステップ４１８に進む。
【０１２６】
ステップ４１８：各副画素の経年変化の計算
このステップでは、ＯＬＥＤディスプレイソフトウェアシステム２００は、ディスプレイの壁１１４の各ＯＬＥＤサブディスプレイ１１６の各ＯＬＥＤタイル１１８の各ＯＬＥＤモジュール１２０の各画素内における赤、緑および青の各副画素の経年変化を計算する。ＯＬＥＤ装置に亘る最初の電圧とＯＬＥＤ装置に亘る測定された電圧とを比較することにより、ＯＬＥＤ装置の経年変化が示される。オンの時間とオンの時間中の電流とにより、ＯＬＥＤ装置を通過する全電荷が計算され得る。この全電荷はまた、ＯＬＥＤ装置の経年変化に対する算定基準である。定期的に測定された温度も経年変化に影響を及ぼす。方法４００はステップ４２０に進む。
【０１２７】
ステップ４２０：経年変化＞予め規定された割合であるか？
この判定ステップでは、ＯＬＥＤディスプレイソフトウェアシステム２００は、ステップ４１８で計算された経年変化がいずれかの所与の副画素に対する予め規定された割合よりも大きいかどうかを判定する。イエスである場合、方法４００はステップ４２２に進み、ノーである場合、方法４００はステップ４２４に進む。
【０１２８】
ステップ４２２：較正ソフトウェアの実行
このステップでは、ＯＬＥＤディスプレイソフトウェアシステム２００は目標の副画素上で較正動作を実行する。より具体的には、各期間Ｔの後に周期的な較正が実行される。較正は各ＯＬＥＤの経年変化に基づいている。各ＯＬＥＤのこの経年変化は、計算されたオンの時間とそのオンの時間中の電流および温度とに基づいて、またはオンの時間と、そのオンの時間中の温度とＯＬＥＤに渡る電圧の変化とに基づいて決定される。デジタル・アナログ補正が実行されて、ＯＬＥＤモジュール１２０内における異なるＯＬＥＤ画素の
経年変化の差が補償される。この周期的な較正は、画素によって異なるであろう経年変化を補償するのに必要である。というのも、オンの時間とそのオンの時間中の電流とが各画素ごとに異なり得るからである。周期的な較正なしでは、色および輝度の不均一性が、最初に較正されたＯＬＥＤモジュール１２０の寿命中に生じるだろう。方法４００はステップ４２４に進む。
【０１２９】
ステップ４２４：ＡＥＣからの周囲照明の読出
このステップでは、ＯＬＥＤディスプレイソフトウェアシステム２００は、ディスプレイの壁１１４内に装着されたＡＥＣ１２２から周囲照明を読出す。測定された周囲照明のレベルがステップ４３２およびステップ４４０で用いられることにより、ディスプレイの性能を最適化するために適切なガンマ／輝度を変更することが可能となる。方法４００はステップ４２６に進む。
【０１３０】
ステップ４２６：加重平均の計算
このステップでは、ＯＬＥＤディスプレイソフトウェアシステム２００は、各ＡＥＣ１２２の重みと各ＡＥＣ１２２内の各光センサの重みとを考慮に入れることにより、さまざまなＡＥＣ１２２のさまざまな光センサによって測定される周囲照明のレベルの加重平均を計算する。たとえば、２つのＡＥＣ１２２がディスプレイの壁１１４に隣接して配置されると仮定し、第１のＡＥＣ１２２がＸ％の重みを有し、第２のＡＥＣ１２２がＹ％の重みを有すると仮定すると、たとえば、第１のＡＥＣ１２２が光点に隣接して位置決めされる場合、ＸがＹよりもはるかに小さくなる可能性があり、各ＡＥＣ１２２が４つの光センサを有すると仮定すると、測定される値と重みは以下の通りである。
【０１３１】
【表１】
2005182056.tif 000003
【０１３２】
加重平均は以下のように計算され得る。
【０１３３】
【数１】
2005182056.tif 000004
【０１３４】
方法４００はステップ４２８に進む。
【０１３５】
ステップ４２８：内容の読出
このステップでは、ＯＬＥＤディスプレイソフトウェアシステム２００は、応用例の性質を決定するために、入力されたデータストリームから表示された映像の内容の種類を読出す。方法４００はステップ４３０に進む。
【０１３６】
ステップ４３０：内容がほぼ「スプレッドシート」であるか？
この判定ステップでは、ステップ４２８で読出された内容を分析することにより、ＯＬＥＤディスプレイソフトウェアシステム２００は、その内容がほぼ「スプレッドシート」であるかどうか、すなわちほぼ完全に白色の画像であるかどうかを判定する。完全に白色の演算が「力率＝１」で表わされ、映像演算が「力率＝１／８＝０．１２５」で表わされ得る場合、ほぼ完全に白色の画像は、０．５６以上の力率を有する画像を指す。イエスである場合、方法４００はステップ４３２に進み、ノーである場合、方法４００はステップ４４０に進む。
【０１３７】
ステップ４３２：周囲照明＜予め規定された値であるか？
この判定ステップでは、ステップ４２４で読出された周囲照明を分析することにより、ＯＬＥＤディスプレイソフトウェアシステム２００は、周囲照明が、たとえば２００ルクスの予め規定された値未満であるかどうかを判定する。イエスである場合、方法４００はステップ４３６に進み、ノーである場合、方法４００はステップ４３４に進む。
【０１３８】
ステップ４３４：適切なコントラストを得るためのガンマの適合
このステップでは、ＯＬＥＤディスプレイソフトウェアシステム２００は、予め設定された別のガンマ曲線を選択するか、または現在のガンマ曲線を規定する１０個の点のうちの１つ以上を変更することにより、適切なコントラストを得るために各ＯＬＥＤモジュール１２０のガンマ曲線を適合させるようアルゴリズムを実行する。ガンマ値は１０個の点、すなわち１つの傾斜開始点、１つの傾斜終了点、およびそれらの間にある４つずつのｘ、ｙの座標点によって規定される曲線であり、当該ガンマ値を用いて８ビットのデジタル化されたＲＧＢデータを１６ビットの値に変換する。このようにして、２５６の異なる入力値が６５５３６の出力値に変換され得、線形入力が、人の目の感度に良好に対応するいかなる非線形出力にも変換され得る。この出力は電流源のオンの時間を制御するＣＣＤコントローラによって用いられる。ガンマ曲線を適切に選択することにより、ディスプレイの性能を向上させることが可能となり、たとえば強い光でコントラストを向上させることができる。選択すべきいくつかの予め設定されたガンマ曲線が存在する。ガンマ曲線を規定する４つの対のうち１つ以上を移動させることにより別のガンマを構成することも可能である。方法４００はステップ４５２に進む。
【０１３９】
ステップ４３６：全体的な輝度の低減
このステップでは、周囲照明が予め定められた値未満である場合、ＯＬＥＤディスプレイソフトウェアシステム２００は、各々の主要なエミッタの輝度を同じ割合だけ減ずることによりディスプレイの壁１１４の全体的な輝度を低減させる。この動作の目的は、ディスプレイの壁１１４の寿命を延ばし、ディスプレイの壁１１４が暗い環境で過度の光を放射するのを防ぐことである。たとえば、夜間に、極めて明るいディスプレイの壁１１４を見ることは視認する目にとって不快である。ディスプレイの壁１１４における各色は、ＣＩＥ色空間におけるその三刺激値Ｘ、Ｙ、Ｚによって説明され得る。Ｙ値は、人の目が輝度を認識するのに寄与し、それは輝度または輝きと称される。色はまた、Ｙおよび色関数ｘ、ｙ、ｚによって以下の通りに説明され得る。
【０１４０】
【数２】
2005182056.tif 000005
【０１４１】
このステップでは、各原色ＹR、ＹBおよびＹGの輝度は、割合係数、たとえば１０％だけ低減される。したがって、ディスプレイの壁１１４の全体的な輝度は同じ割合係数だけ低減するだろう。方法４００はステップ４３８に進む。
【０１４２】
ステップ４３８：コントラストの増大に対するガンマの適合
このステップでは、ＯＬＥＤディスプレイソフトウェアシステム２００は、別の予め設定されたガンマ曲線を選択するか、または現在のガンマ曲線を規定する複数の点、たとえば１０個の点のうち１つ以上を変更することにより、適切なコントラストを得るために各ＯＬＥＤモジュール１２０のガンマ曲線を適合させるようアルゴリズムを実行する。この場合、暗い環境でコントラストを高めるガンマ曲線が選択される。方法４００はステップ４５２に進む。
【０１４３】
ステップ４４０：周囲照明＜予め規定された値であるか？
ステップ４２８で読出された内容がほぼ完全に白色の画像でない場合、すなわち画像が０．５６より低い力率を有する場合に、ステップ４２４で読出された周囲照明を分析することにより実行されるこの判定ステップでは、ＯＬＥＤディスプレイソフトウェアシステム２００は、周囲照明が予め規定された値、たとえば２００ルクス未満であるかどうかを判定する。イエスである場合、方法４００はステップ４４２に進み、ノーである場合、方法４００はステップ４４６に進む。
【０１４４】
ステップ４４２：微光に対するガンマの適合
このステップでは、ＯＬＥＤディスプレイソフトウェアシステム２００は、別のガンマ曲線を選択することにより、微光でディスプレイ性能を向上させるために各ＯＬＥＤモジュール１２０のガンマ曲線を適合させるようアルゴリズムを実行する。さらに別の詳細についてはステップ４３４を参照されたい。方法４４０はステップ４４４に進む。
【０１４５】
ステップ４４４：暗視に対する色点の適合
このステップでは、ＯＬＥＤディスプレイソフトウェアシステム２００は、暗視のために各ＯＬＥＤモジュール１２０の色点を適合させるようアルゴリズムを実行する。暗い環境では色の印象は異なる。したがって、彩度色点は、ディスプレイの壁１１４上での色の再現を向上させるよう動かされる必要がある。方法４００はステップ４５２に進む。
【０１４６】
ステップ４４６：輝度の向上
周囲照明が予め定められた値よりも大きい場合に実行されるこのステップでは、ＯＬＥＤディスプレイソフトウェアシステム２００は、各々の主要なエミッタの輝度を同じ割合だけ上げることにより、ディスプレイの壁１１４の輝度を上げるようアルゴリズムを実行する。このステップでは、各々の主要な色ＹR、ＹBおよびＹGの輝度は割合係数、たとえば１０％だけ上げられる。したがって、全体的なディスプレイの輝度は同じ割合係数だけ上がるだろう。この動作の結果として、ディスプレイの壁１１４の性能は高くなるが、ディスプレイの壁１１４の寿命は減少するだろう。方法４４０はステップ４４８に進む。
【０１４７】
ステップ４４８：ガンマの適合
このステップでは、ＯＬＥＤディスプレイソフトウェアシステム２００は、別のガンマ曲線を選択することにより、コントラストを上げるために各ＯＬＥＤモジュール１２０のガンマ曲線を適合させるようアルゴリズムを実行する。さらに別の詳細についてはステップ４３４を参照されたい。方法４００はステップ４５０に進む。
【０１４８】
ステップ４５０：グレースケールの生成
このステップでは、ＯＬＥＤディスプレイソフトウェアシステム２００は、たとえば画
素の三原色を用いて、ディスプレイの壁１１４の各ＯＬＥＤサブディスプレイ１１６内における各ＯＬＥＤタイル１１８内の各ＯＬＥＤモジュール１２０内の各画素のグレースケールを生成するようアルゴリズムを実行する。この動作の目的はディスプレイの壁１１４の寿命を延ばすことである。明るい環境では、ディスプレイの壁１１４は、色が正確である必要はないが、グレースケールが正確である必要がある。結果として、当該３色を用いてグレースケールを生成することができる。方法４００はステップ４５２に進む。
【０１４９】
ステップ４５２：タイルからの温度の読出
このステップでは、ＯＬＥＤディスプレイソフトウェアシステム２００がＯＬＥＤタイル１１８から温度を読出す。この温度はＯＬＥＤタイル１１８の寿命に重大な影響を及ぼす。一般的な経験則として、ディスプレイの寿命は温度が１０℃上がるごとに２分の１だけ短くなる。温度を知ることにより、ステップ４６４、４６６および４６８に示されるように、ＯＬＥＤタイル１１８内におけるＯＬＥＤ装置の経年変化を制限するよう適切な措置を取ることが可能となる。方法４００はステップ４５４に進む。
【０１５０】
ステップ４５４：加重平均の計算
このステップでは、ＯＬＥＤディスプレイソフトウェアシステム２００は、ＯＬＥＤタイル１１８で測定された温度の加重平均を計算する。方法４００はステップ４５６に進む。
【０１５１】
ステップ４５６：温度＞予め規定された最大値であるか？
この判定ステップでは、ステップ４５４で計算された加重平均温度を分析することにより、ＯＬＥＤディスプレイソフトウェアシステム２００は、温度が、たとえば３５℃の予め規定された最大値よりも高いかどうかを判定する。イエスである場合、方法４００はステップ４６４に進み、ノーである場合、方法４００はステップ４５８に進む。
【０１５２】
ステップ４５８：温度＜予め規定された最小値であるか？
この判定ステップでは、ステップ４５４で計算された加重平均温度を分析することにより、ＯＬＥＤディスプレイソフトウェアシステム２００は、温度が、たとえば２５℃の予め規定された最小値未満であるかどうかを判定する。イエスである場合、方法４００はステップ４６０に進み、ノーである場合、方法４００はステップ４７０に進む。
【０１５３】
ステップ４６０：全体的な輝度のレベル＜予め規定された最小値であるか？
この判定ステップでは、ディスプレイの壁１１４の輝度を分析することにより、ＯＬＥＤディスプレイソフトウェアシステム２００は、ディスプレイの壁１１４の全体的な輝度のレベルが、たとえば１００ニトの予め規定された最小値未満であるかどうかを判定する。イエスである場合、方法４００はステップ４６２に進み、ノーである場合、方法４００はステップ４７０に進む。
【０１５４】
ステップ４６２：応用例のチェックおよび調整の実行
このステップでは、ＯＬＥＤディスプレイソフトウェアシステム２００は、ディスプレイの壁１１４が用いられている応用例を検査し、調整を行う。たとえば、明るい環境におけるホームシアターの応用例においては、ディスプレイの壁１１４の輝度は、性能を高めるために上げられてもよい。応用例にはホームシアター、制御室、事象などが含まれる。方法４００はステップ４７０に進む。
【０１５５】
ステップ４６４：ファンの速度が最高であるか？
この判定ステップでは、ＯＬＥＤディスプレイソフトウェアシステム２００は、冷却ファンを駆動するのに用いられる電圧をチェックすることにより、各ＯＬＥＤタイル１１８内の冷却ファンがその最高速度で作動しているかどうかを判定する。イエスである場合、
方法４００はステップ４６８に進み、ノーである場合、方法４００はステップ４６６に進む。
【０１５６】
ステップ４６６：ファンの速度の増加
このステップでは、ＯＬＥＤディスプレイソフトウェアシステム２００は、目標とされる１つ以上のＯＬＥＤタイル１１８内における冷却ファンの動作速度を上げるようコマンドを発行する。ファンの速度は、通常、システムコントローラ１１０の制御なしで各ＯＬＥＤタイル１１８内で独立して調整されることに留意されたい。方法４００はステップ４７０に進む。
【０１５７】
ステップ４６８：全体的な輝度の低下
このステップでは、ＯＬＥＤディスプレイソフトウェアシステム２００は、各々の主要なエミッタの輝度を同じ割合だけ低下させることにより、ディスプレイの壁１１４の全体的な輝度を低下させる。この動作の目的は、ディスプレイの壁１１４の寿命を延ばすことである。このステップでは、各原色ＹR、ＹBおよびＹGの輝度は、たとえば１０％だけ下げられる。したがって、ディスプレイの壁１１４の全体的な輝度は同じ割合だけ低下するだろう。方法４００はステップ４７０に進む。
【０１５８】
ステップ４７０：ＡＥＣからの相対湿度の読出
このステップでは、ＯＬＥＤディスプレイソフトウェアシステム２００は、ディスプレイの壁１１４内に装着されるＡＥＣ１２２から相対湿度を読出す。相対湿度が高い環境においては、ＯＬＥＤ装置の寿命は、相対湿度が極めて低い環境におけるＯＬＥＤ装置の寿命よりも短くなるだろう。相対湿度を知ることにより、相対湿度が極めて高い場合などにディスプレイの壁１１４の寿命を延ばし、かつ相対湿度が極めて低い場合にディスプレイの壁１１４の性能を向上させるために、適切な措置を取ることが可能となる。方法４００はステップ４７２に進む。
【０１５９】
ステップ４７２：加重平均の計算
このステップでは、ＯＬＥＤディスプレイソフトウェアシステム２００は、各ＡＥＣ１２２の重みと各ＡＥＣ１２２内の各湿度センサの重みとを考慮に入れることにより、異なるＡＥＣの異なる湿度センサによって測定される相対湿度の加重平均を計算する。当該計算は、ａ１、ｂ１、ｃ１、ｄ１、ａ２、ｂ２、ｃ２およびｄ２がここでは％で示した相対湿度の値であることは別として、ステップ４２６に記載される計算に類似している。方法４００はステップ４７４に進む。
【０１６０】
ステップ４７４：相対湿度＞予め規定された最大値であるか？
この判定ステップでは、ステップ４７２で計算された加重平均の相対湿度を分析することにより、ＯＬＥＤディスプレイソフトウェアシステム２００は、相対湿度がたとえば８０％の予め規定された最大値よりも高いかどうかを判定する。イエスである場合、方法４００はステップ４７８に進み、ノーである場合、方法４００はステップ４７６に進む。
【０１６１】
ステップ４７６：相対湿度＜予め規定された最小値であるか？
この判定ステップでは、ステップ４７２で計算された加重平均の相対湿度を分析することにより、ＯＬＥＤディスプレイソフトウェアシステム２００は、相対湿度がたとえば２０％の予め規定された最小値未満であるかどうかを判定する。イエスである場合、方法４００はステップ４７８に進み、ノーである場合、方法４００はステップ４１２に戻る。
【０１６２】
ステップ４７８：応用例のチェックおよび調整の実行
このステップでは、ＯＬＥＤディスプレイソフトウェアシステム２００は、ディスプレイの壁１１４が用いられている応用例を検査し、相対湿度が極めて低くかつこれが応用例
に有用である場合に輝度を上げるなどの調整を行う。相対湿度が極めて高い場合、たとえば全体的な輝度を下げることによって、ＯＬＥＤ装置の経年変化を減じるための措置が取られるだろう。相対湿度が極めて低い場合、ディスプレイの壁１１４の性能を上げるための措置、たとえば輝度を上げるための措置が取られるか、または、湿度が低いために経年変化が低減することから恩恵を受けること以外は何も行なわない。応用例には、ホームシアター、制御室、事象などが含まれる。方法４００はステップ４１２に戻る。
【図面の簡単な説明】
【０１６３】
【図１】モジュール方式のアーキテクチャを有し、この発明の制御システムとともに用いるのに好適な大画面のＯＬＥＤディスプレイシステムを示す機能ブロック図である。
【図２Ａ】ＯＬＥＤディスプレイのための信号および電力の分配のマルチライン方式の応用例を示す概略図である。
【図２Ｂ】ＯＬＥＤディスプレイのための信号および電力の分配のデイジーチェーン方式の応用例を示す概略図である。
【図３】この発明の実施例に従ったＯＬＥＤディスプレイ制御システムを示す機能ブロック図である。
【図４Ａ】この発明の実施例に従ったＯＬＥＤディスプレイ制御システムを用いて、タイル状に配置されたＯＬＥＤディスプレイを作動させる方法を示すフロー図である。
【図４Ｂ】この発明の実施例に従ったＯＬＥＤディスプレイ制御システムを用いて、タイル状に配置されたＯＬＥＤディスプレイを作動させる方法を示し、図４Ａの続きであるフロー図である。
【図５Ａ】この発明の実施例に従ったＯＬＥＤディスプレイ制御システムを用いて、タイル状に配置されたＯＬＥＤディスプレイを監視する方法を示すフロー図である。
【図５Ｂ】この発明の実施例に従ったＯＬＥＤディスプレイ制御システムを用いて、タイル状に配置されたＯＬＥＤディスプレイを監視する方法を示し、図５Ａの続きであるフロー図である。
【図５Ｃ】この発明の実施例に従ったＯＬＥＤディスプレイ制御システムを用いて、タイル状に配置されたＯＬＥＤディスプレイを監視する方法を示し、図５Ｂの続きであるフロー図である。
【符号の説明】
【０１６４】
１００  ＯＬＥＤディスプレイシステム、１１０  システムコントローラ、１１２  デジタイザ、１１４  ディスプレイの壁、１１６  ＯＬＥＤサブディスプレイ、１１８  ＯＬＥＤタイル、１２０  ＯＬＥＤモジュール、１２２  ＡＥＣ。
【図１】
2005182056.tif 000006
【図２Ａ】
2005182056.tif 000007
【図２Ｂ】
2005182056.tif 000008
【図３】
2005182056.tif 000009
【図４Ａ】
2005182056.tif 000010
【図４Ｂ】
2005182056.tif 000011
【図５Ａ】
2005182056.tif 000012
【図５Ｂ】
2005182056.tif 000013
【図５Ｃ】
2005182056.tif 000014